(57)【要約】本発明は、無線通信システムにおいて端末が基地局と信号を送受信する方法及びそれを支援する装置を開示する。より具体的には、本発明では、上りリンク信号送信をスケジュールする信号の時点から所定の期間後の時点が上りリンク信号送信時点として決定される従来の無線通信システムとは異なり、上りリンク信号送信時点が動的に決定される場合、端末が信号送受信を行う方法に関する。【選択図】図１３
2020511092.tif 000002
【特許請求の範囲】
【請求項１】
無線通信システムにおいて端末が基地局と信号を送受信する方法において、
前記基地局から上りリンク信号送信をスケジュールする下りリンク制御情報（Ｄｏｗｎｌｉｎｋ Ｃｏｎｔｒｏｌ Ｉｎｆｏｒｍａｔｉｏｎ；ＤＣＩ）を受信することと、
前記ＤＣＩを受信した時点と前記ＤＣＩによりスケジュールされる上りリンク信号の送信時点の間の第１時間区間の長さと、前記端末に設定されたＴＡ（Ｔｉｍｉｎｇ Ａｄｖａｎｃｅ）及び前記ＤＣＩに対する前記端末の処理時間（ｐｒｏｃｅｓｓｉｎｇ ｔｉｍｅ）に基づいて決定された第２時間区間の長さとの比較結果に基づいて、前記スケジュールされた上りリンク信号送信を行うことと、を含む、端末の信号送受信方法。
【請求項２】
前記第１時間区間の長さが前記第２時間区間の長さ以上である場合、
前記端末は、前記ＤＣＩによりスケジュールされた上りリンク信号の送信時点に前記上りリンク信号送信を行う、請求項１に記載の端末の信号送受信方法。
【請求項３】
前記第１時間区間の長さが前記第２時間区間の長さ未満である場合、
前記端末は、前記ＤＣＩによりスケジュールされた上りリンク信号の送信を行わない、請求項１に記載の端末の信号送受信方法。
【請求項４】
前記端末の信号送受信方法は、さらに、
前記上りリンク信号が送信されないことを指示するために、前記上りリンク信号がスケジュールされた時間区間で参照信号（ｒｅｆｅｒｅｎｃｅ ｓｉｇｎａｌ）を送信することを含む、請求項３に記載の端末の信号送受信方法。
【請求項５】
前記参照信号は、復調参照信号（Ｄｅｍｏｄｕｌａｔｉｏｎ Ｒｅｆｅｒｅｎｃｅ Ｓｉｇｎａｌ；ＤＭ−ＲＳ）又はサウンディング参照信号（Ｓｏｕｎｄｉｎｇ Ｒｅｆｅｒｅｎｃｅ Ｓｉｇｎａｌ；ＳＲＳ）である、請求項４に記載の端末の信号送受信方法。
【請求項６】
前記第１時間区間の長さが前記第２時間区間の長さ未満である場合、
前記端末は、前記ＤＣＩによりスケジュールされた上りリンク信号のうち、前記ＤＣＩを受信した時点から前記第２時間区間後にスケジュールされた第１上りリンク信号のみを送信する、請求項１に記載の端末の信号送受信方法。
【請求項７】
前記ＤＣＩによりスケジュールされた上りリンク信号のうち、前記ＤＣＩを受信した時点から前記第２時間区間前にスケジュールされた第２上りリンク信号に対しては、パンクチャリング（ｐｕｎｃｔｕｒｉｎｇ）又はレートマッチング（ｒａｔｅ−ｍａｔｃｈｉｎｇ）が行われる、請求項６に記載の端末の信号送受信方法。
【請求項８】
前記端末の信号送受信方法は、さらに、
前記第１時間区間の長さが前記第２時間区間の長さ未満である場合、
前記第１時間区間の長さが前記第２時間区間の長さ未満であることを指示する情報を前記基地局に送信することを含む、請求項１に記載の端末の信号送受信方法。
【請求項９】
前記第２時間区間の長さは、
前記端末に設定されたＴＡ値、
前記端末に設定されたＴＡ値と前記端末の処理時間の和、及び
前記端末に設定されたＴＡ値と前記端末の処理時間のうちの最大値、のうちのいずれか１つに対応する、請求項１に記載の端末の信号送受信方法。
【請求項１０】
無線通信システムにおいて基地局と信号を送受信する端末において、
送信部と、
受信部と、
前記送信部及び受信部に接続されて動作するプロセッサと、を含み、
前記プロセッサは、
前記基地局から上りリンク信号送信をスケジュールする下りリンク制御情報（Ｄｏｗｎｌｉｎｋ Ｃｏｎｔｒｏｌ Ｉｎｆｏｒｍａｔｉｏｎ；ＤＣＩ）を受信し、
前記ＤＣＩを受信した時点と前記ＤＣＩによりスケジュールされる上りリンク信号の送信時点の間の第１時間区間の長さと、前記端末に設定されたＴＡ（Ｔｉｍｉｎｇ Ａｄｖａｎｃｅ）及び前記ＤＣＩに対する前記端末の処理時間（ｐｒｏｃｅｓｓｉｎｇ ｔｉｍｅ）に基づいて決定された第２時間区間の長さとの比較結果に基づいて、前記スケジュールされた上りリンク信号送信を行う、ように構成される、端末。
【請求項１１】
前記第１時間区間の長さが前記第２時間区間の長さ以上である場合、
前記プロセッサは、前記ＤＣＩによりスケジュールされた上りリンク信号の送信時点に前記上りリンク信号送信を行うように構成された、請求項１０に記載の端末。
【請求項１２】
前記第１時間区間の長さが前記第２時間区間の長さ未満である場合、
前記プロセッサは、前記ＤＣＩによりスケジュールされた上りリンク信号の送信を行わないように構成された、請求項１０に記載の端末。
【請求項１３】
前記プロセッサは、
前記上りリンク信号が送信されないことを指示するために、前記上りリンク信号がスケジュールされた時間区間で参照信号（ｒｅｆｅｒｅｎｃｅ ｓｉｇｎａｌ）を送信するように構成された、請求項１２に記載の端末。
【請求項１４】
前記参照信号は、復調参照信号（Ｄｅｍｏｄｕｌａｔｉｏｎ Ｒｅｆｅｒｅｎｃｅ Ｓｉｇｎａｌ；ＤＭ−ＲＳ）である、請求項１３に記載の端末。
【請求項１５】
前記第１時間区間の長さが前記第２時間区間の長さ未満である場合、
前記プロセッサは、前記ＤＣＩによりスケジュールされた上りリンク信号のうち、前記ＤＣＩを受信した時点から前記第２時間区間後にスケジュールされた第１上りリンク信号のみを送信するように構成された、請求項１０に記載の端末。
【請求項１６】
前記ＤＣＩによりスケジュールされた上りリンク信号のうち、前記ＤＣＩを受信した時点から前記第２時間区間前にスケジュールされた第２上りリンク信号に対しては、パンクチャリング（ｐｕｎｃｔｕｒｉｎｇ）又はレートマッチング（ｒａｔｅ−ｍａｔｃｈｉｎｇ）が行われる、請求項１５に記載の端末。
【請求項１７】
前記プロセッサは、
前記第１時間区間の長さが前記第２時間区間の長さ未満である場合、
前記第１時間区間の長さが前記第２時間区間の長さ未満であることを指示する情報を前記基地局に送信するように構成される、請求項１０に記載の端末。
【請求項１８】
前記第２時間区間の長さは、
前記端末に設定されたＴＡ値、
前記端末に設定されたＴＡ値と前記端末の処理時間の和、及び
前記端末に設定されたＴＡ値と前記端末の処理時間のうちの最大値、のうちのいずれか１つに対応する、請求項１０に記載の端末。
【発明の詳細な説明】
【技術分野】
【０００１】
以下の説明は無線通信システムに関し、無線通信システムにおいて端末が基地局と信号を送受信する方法及びそれを支援する装置に関する。
【０００２】
より具体的には、以下の説明は、上りリンク信号送信をスケジュールする信号の時点から所定の期間後の時点が上りリンク信号送信時点として決定される従来の無線通信システムとは異なり、上りリンク信号送信時点が動的に決定される場合、端末が信号送受信を行う方法に関する説明を含む。
【背景技術】
【０００３】
無線アクセスシステムが音声やデータなどの種々の通信サービスを提供するために広範囲に展開されている。一般に、無線アクセスシステムは利用可能なシステムリソース（帯域幅、送信電力など）を共有して複数のユーザとの通信を支援できる多元接続（ｍｕｌｔｉｐｌｅ ａｃｃｅｓｓ）システムである。多元接続システムの例には、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。
【０００４】
なお、多数の通信機器がより大きな通信容量を要求することにより、既存のＲＡＴ（ｒａｄｉｏ ａｃｃｅｓｓ ｔｅｃｈｎｏｌｏｇｙ）に比べて向上したモバイルブロードバンド通信の必要性が高まっている。また、多数の機器及び物を接続していつでもどこでも多様なサービスを提供する大規模（ｍａｓｓｉｖｅ）ＭＴＣ（Ｍａｃｈｉｎｅ Ｔｙｐｅ Ｃｏｍｍｕｎｉｃａｔｉｏｎｓ）が次世代通信において考えられている。さらに信頼性及び遅延などに敏感なサービス／ＵＥを考慮した通信システムのデザインも考えられている。
【０００５】
このように向上したモバイルブロードバンド通信、大規模ＭＴＣ、ＵＲＬＬＣ（Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ）などを考慮した次世代ＲＡＴの導入が論議されている。
【発明の概要】
【発明が解決しようとする課題】
【０００６】
本発明の目的は、新しく提案される通信システムにおいて端末の信号送受信方法及びそのための装置を提供することにある。
【０００７】
特に、本発明は端末に動的にスケジュールされた上りリンク送信時点と端末の能力及び端末に対いて設定されたＴＡ（Ｔｉｍｉｎｇ Ａｄｖａｎｃｅ）値とを比較して、端末に適合した上りリンク信号送受信を行う構成を提供することを目的とする。
【０００８】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
本発明は、無線通信システムにおいて端末が信号を送受信する方法及びそのための装置を提供する。
【００１０】
本発明の一態様では、無線通信システムにおいて端末が基地局と信号を送受信する方法において、基地局から上りリンク信号送信をスケジュールする下りリンク制御情報（Ｄｏｗｎｌｉｎｋ Ｃｏｎｔｒｏｌ Ｉｎｆｏｒｍａｔｉｏｎ；ＤＣＩ）を受信することと、該ＤＣＩを受信した時点とＤＣＩによりスケジュールされる上りリンク信号の送信時点の間の第１時間区間の長さと、端末に設定されたＴＡ（Ｔｉｍｉｎｇ Ａｄｖａｎｃｅ）及びＤＣＩに対する端末の処理時間（ｐｒｏｃｅｓｓｉｎｇ ｔｉｍｅ）に基づいて決定された第２時間区間の長さとの比較結果に基づいて、スケジュールされた上りリンク信号送信を行うことと、を含む、端末の信号送受信方法を提案する。
【００１１】
本発明の他の態様では、無線通信システムにおいて基地局と信号を送受信する端末において、送信部と、受信部と、該送信部及び受信部に接続されて動作するプロセッサと、を含み、該プロセッサは、基地局から上りリンク信号送信をスケジュールする下りリンク制御情報（Ｄｏｗｎｌｉｎｋ Ｃｏｎｔｒｏｌ Ｉｎｆｏｒｍａｔｉｏｎ；ＤＣＩ）を受信し、該ＤＣＩを受信した時点とＤＣＩによりスケジュールされる上りリンク信号の送信時点の間の第１時間区間の長さと、端末に設定されたＴＡ（Ｔｉｍｉｎｇ Ａｄｖａｎｃｅ）及びＤＣＩに対する端末の処理時間（ｐｒｏｃｅｓｓｉｎｇ ｔｉｍｅ）に基づいて決定された第２時間区間の長さとの比較結果に基づいて、スケジュールされた上りリンク信号送信を行う、ように構成される、端末を提案する。
【００１２】
上記構成において、第１時間区間の長さが第２時間区間の長さ以上である場合、端末は、ＤＣＩによりスケジュールされた上りリンク信号の送信時点に上りリンク信号送信を行う。
【００１３】
また第１時間区間の長さが第２時間区間の長さ未満である場合、端末は、ＤＣＩによりスケジュールされた上りリンク信号の送信を行わない。
【００１４】
この時、端末は、スケジュールされた上りリンク信号が送信されないことを指示するために、上りリンク信号がスケジュールされた時間区間で参照信号（ｒｅｆｅｒｅｎｃｅ ｓｉｇｎａｌ）を送信する。
【００１５】
ここで、参照信号としては、復調参照信号（Ｄｅｍｏｄｕｌａｔｉｏｎ Ｒｅｆｅｒｅｎｃｅ Ｓｉｇｎａｌ；ＤＭ−ＲＳ）又はサウンディング参照信号（Ｓｏｕｎｄｉｎｇ Ｒｅｆｅｒｅｎｃｅ Ｓｉｇｎａｌ；ＳＲＳ）が適用される。
【００１６】
また第１時間区間の長さが第２時間区間の長さ未満である場合、端末は、ＤＣＩによりスケジュールされた上りリンク信号のうち、ＤＣＩを受信した時点から第２時間区間後にスケジュールされた第１上りリンク信号のみを送信する。
【００１７】
この時、ＤＣＩによりスケジュールされた上りリンク信号のうち、ＤＣＩを受信した時点から第２時間区間前にスケジュールされた第２上りリンク信号に対しては、パンクチャリング（ｐｕｎｃｔｕｒｉｎｇ）又はレートマッチング（ｒａｔｅ−ｍａｔｃｈｉｎｇ）が行われる。
【００１８】
上記構成において、第１時間区間の長さが第２時間区間の長さ未満である場合、端末は、第１時間区間の長さが第２時間区間の長さ未満であることを指示する情報を基地局に送信する。
【００１９】
上記構成において、第２時間区間の長さは、端末に設定されたＴＡ値、端末に設定されたＴＡ値と端末の処理時間の和、及び端末に設定されたＴＡ値と端末の処理時間のうちの最大値、のうちのいずれか１つに設定される。
【００２０】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００２１】
本発明の実施例によれば、次のような効果がある。
【００２２】
本発明によれば、各端末は基地局により設定された上りリンク信号の時点における上りリンク信号送信を各端末の能力又は状況に適応させて行うことができる。
【００２３】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００２４】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号（ｒｅｆｅｒｅｎｃｅ ｎｕｍｅｒａｌｓ）は構造的構成要素（ｓｔｒｕｃｔｕｒａｌ ｅｌｅｍｅｎｔｓ）を意味する。
【００２５】
【図１】物理チャネル及びそれらを用いた信号送信方法を説明するための図である。
【図２】無線フレームの構造の一例を示す図である。
【図３】下りリンクスロットに対するリソースグリッド（ｒｅｓｏｕｒｃｅ ｇｒｉｄ）を例示する図である。
【図４】上りリンクサブフレームの構造の一例を示す図である。
【図５】下りリンクサブフレームの構造の一例を示す図である。
【図６】本発明に適用可能なセルフサブフレームの構造（Ｓｅｌｆ−Ｃｏｎｔａｉｎｅｄ ｓｕｂｆｒａｍｅ ｓｔｒｕｃｔｕｒｅ）を示す図である。
【図７】ＴＸＲＵとアンテナ要素の代表的な接続方式を示す図である。
【図８】ＴＸＲＵとアンテナ要素の代表的な接続方式を示す図である。
【図９】本発明の一例によるＴＸＲＵ及び物理的アンテナの観点におけるハイブリッドビームフォーミング構造を簡単に示す図である。
【図１０】本発明の一例による下りリンク（Ｄｏｗｎｌｉｎｋ、ＤＬ）の送信過程において、同期信号（Ｓｙｎｃｈｒｏｎｉｚａｔｉｏｎ ｓｉｇｎａｌ）とシステム情報（Ｓｙｓｔｅｍ ｉｎｆｏｒｍａｔｉｏｎ）に対するビームスイーピング（Ｂｅａｍ ｓｗｅｅｐｉｎｇ）動作を簡単に示す図である。
【図１１】基地局（ｅＮＢ又はｇＮＢ）とＵＥの間の下りリンク信号及び上りリンク信号の送受信時点を簡単に示す図である。
【図１２】同一のコンポーネントキャリア（ｃｏｍｐｏｎｅｎｔ ｃａｒｒｉｅｒ）において下りリンク信号及び上りリンク信号が送受信される構成（又は領域）を簡単に示す図である。
【図１３】本発明に適用可能な端末と基地局の間の信号送受信方法を示す図である。
【図１４】提案する実施例を具現化できる端末及び基地局の構成を示す図である。
【発明を実施するための形態】
【００２６】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００２７】
図面に関する説明において、本発明の要旨を曖昧にさせ得る手順又は段階などは記述を省略し、当業者のレベルで理解可能な程度の手順又は段階も記述を省略する。
【００２８】
明細書全体を通じて、ある部分がある構成要素を「含む（ｃｏｍｐｒｉｓｉｎｇ又はｉｎｃｌｕｄｉｎｇ）」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現化することができる。また、「ある（ａ又はａｎ）」、「１つ（ｏｎｅ）」、「その（ｔｈｅ）」及び類似の関連語は、本発明を記述する文脈において（特に、以下の請求項の文脈において）本明細書に別に指示されたり文脈によって明らかに反駁されない限り、単数及び複数の両方を含む意味で使うことができる。
【００２９】
この明細書において本発明の実施例は基地局と移動局の間のデータ送受信関係を中心に説明されている。ここで、基地局は、移動局と通信を直接行うネットワークの終端ノード（ｔｅｒｍｉｎａｌ ｎｏｄｅ）としての意味を有する。本文書において基地局によって行われるとされている特定の動作は、場合によっては、基地局の上位ノード（ｕｐｐｅｒ ｎｏｄｅ）によって行われてもよい。
【００３０】
即ち、基地局を含む複数のネットワークノード（ｎｅｔｗｏｒｋ ｎｏｄｅ）からなるネットワークにおいて、移動局との通信のために行われる様々な動作は、基地局、又は基地局以外の他のネットワークノードで行うことができる。このとき、「基地局」は、固定局（ｆｉｘｅｄ ｓｔａｔｉｏｎ）、Ｎｏｄｅ Ｂ、ｅＮｏｄｅ Ｂ（ｅＮＢ）、ｇＮｏｄｅ Ｂ（ｇＮＢ）、発展した基地局（ＡＢＳ：Ａｄｖａｎｃｅｄ Ｂａｓｅ Ｓｔａｔｉｏｎ）又はアクセスポイント（ａｃｃｅｓｓ ｐｏｉｎｔ）などの用語に言い換えることができる。
【００３１】
また、本発明の実施例において、端末（Ｔｅｒｍｉｎａｌ）は、ユーザ機器（ＵＥ：Ｕｓｅｒ Ｅｑｕｉｐｍｅｎｔ）、移動局（ＭＳ：Ｍｏｂｉｌｅ Ｓｔａｔｉｏｎ）、加入者端末（ＳＳ：Ｓｕｂｓｃｒｉｂｅｒ Ｓｔａｔｉｏｎ）、移動加入者端末（ＭＳＳ：Ｍｏｂｉｌｅ Ｓｕｂｓｃｒｉｂｅｒ Ｓｔａｔｉｏｎ）、移動端末（Ｍｏｂｉｌｅ Ｔｅｒｍｉｎａｌ）、又は発展した移動端末（ＡＭＳ：Ａｄｖａｎｃｅｄ Ｍｏｂｉｌｅ Ｓｔａｔｉｏｎ）などの用語に言い換えることができる。
【００３２】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００３３】
本発明の実施例は、無線アクセスシステムであるＩＥＥＥ ８０２．ｘｘシステム、３ＧＰＰ（３ｒｄ Ｇｅｎｅｒａｔｉｏｎ Ｐａｒｔｎｅｒｓｈｉｐ Ｐｒｏｊｅｃｔ）システム、３ＧＰＰ ＬＴＥシステム及び３ＧＰＰ ５Ｇ ＮＲシステム及び３ＧＰＰ２システムのうち少なくとも１つに開示されている標準文書によってサポートすることができ、特に、本発明の実施例は、３ＧＰＰ ＴＳ ３６．２１１、３ＧＰＰ ＴＳ ３６．２１２、３ＧＰＰ ＴＳ ３６．２１３、３ＧＰＰ ＴＳ ３６．３２１、３ＧＰＰ ＴＳ ３６．３３１、３ＧＰＰ ＴＳ ３８．２１１、３ＧＰＰ ＴＳ ３８．２１２、３ＧＰＰ ＴＳ ３８．２１３、３ＧＰＰ ＴＳ ３８．３２１及び３ＧＰＰ ＴＳ ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００３４】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３５】
また、本発明の実施例で使われる特定の用語は本発明の理解し易さのために提供されるものであり、このような特定の用語の使用は本発明の技術的思想を逸脱しない範囲で他の形態に変更されてもよい。
【００３６】
例えば、送信機会区間（ＴｘＯＰ：Ｔｒａｎｓｍｉｓｓｉｏｎ Ｏｐｐｏｒｔｕｎｉｔｙ Ｐｅｒｉｏｄ）という用語は、送信区間、送信バースト（Ｔｘ ｂｕｒｓｔ）又はＲＲＰ（Ｒｅｓｅｒｖｅｄ Ｒｅｓｏｕｒｃｅ Ｐｅｒｉｏｄ）という用語と同じ意味で使うことができる。また、ＬＢＴ（Ｌｉｓｔｅｎ Ｂｅｆｏｒｅ Ｔａｌｋ）過程は、チャネル状態が遊休であるか否かを判断するためのキャリアセンシング過程、ＣＣＡ（Ｃｌｅａｒ Ｃｈａｎｎｅｌ Ａｃｃｅｓｓｍｅｎｔ）、チャネルアクセス過程（ＣＡＰ：Ｃｈａｎｎｅｌ Ａｃｃｅｓｓ Ｐｒｏｃｅｄｕｒｅ）と同じ目的で行うことができる。
【００３７】
以下、本発明の実施例を利用可能な無線アクセスシステムの一例として３ＧＰＰ ＬＴＥ／ＬＴＥ−Ａシステムについて説明する。
【００３８】
以下の技術は、ＣＤＭＡ（ｃｏｄｅ ｄｉｖｉｓｉｏｎ ｍｕｌｔｉｐｌｅ ａｃｃｅｓｓ）、ＦＤＭＡ（ｆｒｅｑｕｅｎｃｙ ｄｉｖｉｓｉｏｎ ｍｕｌｔｉｐｌｅ ａｃｃｅｓｓ）、ＴＤＭＡ（ｔｉｍｅ ｄｉｖｉｓｉｏｎ ｍｕｌｔｉｐｌｅ ａｃｃｅｓｓ）、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）などのような様々な無線アクセスシステムに適用することができる。
【００３９】
ＣＤＭＡは、ＵＴＲＡ（Ｕｎｉｖｅｒｓａｌ Ｔｅｒｒｅｓｔｒｉａｌ Ｒａｄｉｏ Ａｃｃｅｓｓ）やＣＤＭＡ２０００のような無線技術（ｒａｄｉｏ ｔｅｃｈｎｏｌｏｇｙ）によって具現化することができる。ＴＤＭＡは、ＧＳＭ（Ｇｌｏｂａｌ Ｓｙｓｔｅｍ ｆｏｒ Ｍｏｂｉｌｅ ｃｏｍｍｕｎｉｃａｔｉｏｎｓ）／ＧＰＲＳ（Ｇｅｎｅｒａｌ Ｐａｃｋｅｔ Ｒａｄｉｏ Ｓｅｒｖｉｃｅ）／ＥＤＧＥ（Ｅｎｈａｎｃｅｄ Ｄａｔａ Ｒａｔｅｓ ｆｏｒ ＧＳＭ Ｅｖｏｌｕｔｉｏｎ）のような無線技術によって具現化することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ ＵＴＲＡ）などのような無線技術によって具現化することができる。
【００４０】
ＵＴＲＡはＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）の一部である。３ＧＰＰ ＬＴＥ（Ｌｏｎｇ Ｔｅｒｍ Ｅｖｏｌｕｔｉｏｎ）はＥ−ＵＴＲＡを用いるＥ−ＵＭＴＳ（Ｅｖｏｌｖｅｄ ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）システムは３ＧＰＰ ＬＴＥシステムを改良したシステムである。本発明の技術的特徴に関する説明を明確にするために、本発明の実施例は３ＧＰＰ ＬＴＥ／ＬＴＥ−Ａシステムを中心に述べられるが、ＩＥＥＥ ８０２．１６ｅ／ｍシステムなどに適用されてもよい。
【００４１】
１．３ＧＰＰ ＬＴＥ／ＬＴＥ Ａ システム
【００４２】
１．１．物理チャネル及びこれを用いた信号送受信方法
【００４３】
無線アクセスシステムにおいて端末は下りリンク（ＤＬ：Ｄｏｗｎｌｉｎｋ）で基地局から情報を受信し、上りリンク（ＵＬ：Ｕｐｌｉｎｋ）で基地局に情報を送信する。基地局と端末とが送受信する情報は一般データ情報及び種々の制御情報を含み、基地局と端末とが送受信する情報の種類／用途によって様々な物理チャネルが存在する。
【００４４】
図１は、本発明の実施例で使用可能な物理チャネル及びそれらを用いた信号送信方法を説明するための図である。
【００４５】
電源が消えた状態で電源がついたり、新しくセルに進入したりした端末は、Ｓ１１段階で、基地局と同期を取るなどの初期セル探索（Ｉｎｉｔｉａｌ ｃｅｌｌ ｓｅａｒｃｈ）作業を行う。そのために、端末は基地局から主同期チャネル（Ｐ−ＳＣＨ：Ｐｒｉｍａｒｙ Ｓｙｎｃｈｒｏｎｉｚａｔｉｏｎ Ｃｈａｎｎｅｌ）及び副同期チャネル（Ｓ−ＳＣＨ：Ｓｅｃｏｎｄａｒｙ Ｓｙｎｃｈｒｏｎｉｚａｔｉｏｎ Ｃｈａｎｎｅｌ）を受信して基地局と同期を取り、セルＩＤなどの情報を取得する。
【００４６】
その後、端末は基地局から物理放送チャネル（ＰＢＣＨ：Ｐｈｙｓｉｃａｌ Ｂｒｏａｄｃａｓｔ  Ｃｈａｎｎｅｌ）信号を受信してセル内放送情報を取得することができる。
【００４７】
一方、端末は初期セル探索段階で下りリンク参照信号（ＤＬ ＲＳ：Ｄｏｗｎｌｉｎｋ Ｒｅｆｅｒｅｎｃｅ Ｓｉｇｎａｌ）を受信して下りリンクチャネル状態を確認することができる。
【００４８】
初期セル探索を終えた端末は、Ｓ１２段階で、物理下りリンク制御チャネル（ＰＤＣＣＨ：Ｐｈｙｓｉｃａｌ Ｄｏｗｎｌｉｎｋ Ｃｏｎｔｒｏｌ Ｃｈａｎｎｅｌ）、及び物理下りリンク制御チャネル情報に対応する物理下りリンク共有チャネル（ＰＤＳＣＨ：Ｐｈｙｓｉｃａｌ Ｄｏｗｎｌｉｎｋ Ｃｏｎｔｒｏｌ Ｃｈａｎｎｅｌ）を受信して、より具体的なシステム情報を取得することができる。
【００４９】
その後、端末は基地局への接続を完了するために、段階Ｓ１３〜段階Ｓ１６のようなランダムアクセス過程（Ｒａｎｄｏｍ Ａｃｃｅｓｓ Ｐｒｏｃｅｄｕｒｅ）を行うことができる。そのために、端末は物理ランダムアクセスチャネル（ＰＲＡＣＨ：Ｐｈｙｓｉｃａｌ Ｒａｎｄｏｍ Ａｃｃｅｓｓ Ｃｈａｎｎｅｌ）でプリアンブル（ｐｒｅａｍｂｌｅ）を送信し（Ｓ１３）、物理下りリンク制御チャネル及びそれに対応する物理下りリンク共有チャネルでプリアンブルに対する応答メッセージを受信することができる（Ｓ１４）。競合ベースのランダムアクセスでは、端末は、更なる物理ランダムアクセスチャネル信号の送信（Ｓ１５）、及び物理下りリンク制御チャネル信号及びそれに対応する物理下りリンク共有チャネル信号の受信（Ｓ１６）のような衝突解決手順（Ｃｏｎｔｅｎｔｉｏｎ Ｒｅｓｏｌｕｔｉｏｎ Ｐｒｏｃｅｄｕｒｅ）を行うことができる。
【００５０】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ Ｕｐｌｉｎｋ Ｓｈａｒｅｄ Ｃｈａｎｎｅｌ）信号及び／又は物理上りリンク制御チャネル（ＰＵＣＣＨ：Ｐｈｙｓｉｃａｌ Ｕｐｌｉｎｋ Ｃｏｎｔｒｏｌ Ｃｈａｎｎｅｌ）信号の送信（Ｓ１８）を行うことができる。
【００５１】
端末が基地局に送信する制御情報を総称して上りリンク制御情報（ＵＣＩ：Ｕｐｌｉｎｋ Ｃｏｎｔｒｏｌ Ｉｎｆｏｒｍａｔｉｏｎ）という。ＵＣＩは、ＨＡＲＱ−ＡＣＫ／ＮＡＣＫ（Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ Ｒｅｑｕｅｓｔ）、ＣＱＩ（Ｃｈａｎｎｅｌ Ｑｕａｌｉｔｙ Ｉｎｄｉｃａｔｉｏｎ）、ＰＭＩ（Ｐｒｅｃｏｄｉｎｇ Ｍａｔｒｉｘ Ｉｎｄｉｃａｔｉｏｎ）、ＲＩ（Ｒａｎｋ Ｉｎｄｉｃａｔｉｏｎ）情報などを含む。
【００５２】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００５３】
１．２．リソースの構造
【００５４】
図２は、本発明の実施例で用いられる無線フレームの構造を示す図である。
【００５５】
図２（ａ）にはタイプ１フレーム構造（ｆｒａｍｅ ｓｔｒｕｃｔｕｒｅ ｔｙｐｅ  １）を示す。タイプ１フレーム構造は、全二重（ｆｕｌｌ ｄｕｐｌｅｘ）ＦＤＤ（Ｆｒｅｑｕｅｎｃｙ Ｄｉｖｉｓｉｏｎ Ｄｕｐｌｅｘ）システムにも半二重（ｈａｌｆ ｄｕｐｌｅｘ）ＦＤＤシステムにも適用可能である。
【００５６】
１無線フレーム（ｒａｄｉｏ ｆｒａｍｅ）はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム（ｒａｄｉｏ ｆｒａｍｅ）は１０個のサブフレーム（ｓｕｂｆｒａｍｅ）で構成される。１サブフレームを送信するためにかかる時間をＴＴＩ（ｔｒａｎｓｍｉｓｓｉｏｎ ｔｉｍｅ ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは時間領域において複数のＯＦＤＭシンボル又はＳＣ−ＦＤＭＡシンボルを含み、周波数領域において複数のリソースブロック（Ｒｅｓｏｕｒｃｅ Ｂｌｏｃｋ）を含む。
【００５７】
１スロットは時間領域において複数のＯＦＤＭ（ｏｒｔｈｏｇｏｎａｌ ｆｒｅｑｕｅｎｃｙ ｄｉｖｉｓｉｏｎ ｍｕｌｔｉｐｌｅｘｉｎｇ）シンボルを含む。３ＧＰＰ ＬＴＥは下りリンクにおいてＯＦＤＭＡを用いるので、ＯＦＤＭシンボルは１シンボル区間（ｓｙｍｂｏｌ ｐｅｒｉｏｄ）を表現するためのものである。ＯＦＤＭシンボルは１つのＳＣ−ＦＤＭＡシンボル又はシンボル区間ということができる。リソースブロック（ｒｅｓｏｕｒｃｅ ｂｌｏｃｋ）はリソース割り当て単位であり、１つのスロットで複数の連続した副搬送波（ｓｕｂｃａｒｒｉｅｒ）を含む。
【００５８】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００５９】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００６０】
図２（ｂ）にはタイプ２フレーム構造（ｆｒａｍｅ ｓｔｒｕｃｔｕｒｅ ｔｙｐｅ  ２）を示す。タイプ２フレーム構造はＴＤＤシステムに適用される。１無線フレーム（ｒａｄｉｏ ｆｒａｍｅ）はＴｆ＝３０７２００＊Ｔｓ＝１０ｍｓの長さを有し、１５３６００＊Ｔｓ＝５ｍｓの長さを有する２個のハーフフレーム（ｈａｌｆ−ｆｒａｍｅ）で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／（１５ｋＨｚ×２０４８）＝３．２５５２×１０−８（約３３ｎｓ）と表示される。
【００６１】
タイプ２フレームにはＤｗＰＴＳ（Ｄｏｗｎｌｉｎｋ Ｐｉｌｏｔ Ｔｉｍｅ Ｓｌｏｔ）、保護区間（ＧＰ：Ｇｕａｒｄ Ｐｅｒｉｏｄ）、ＵｐＰＴＳ（Ｕｐｌｉｎｋ Ｐｉｌｏｔ Ｔｉｍｅ Ｓｌｏｔ）の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り伝送の同期化に用いられる。保護区間は、上りリンクと下りリンクとの間に下りリンク信号の多重経路遅延によって上りリンクにおいて干渉を除去するための区間である。
【００６２】
次の表１は、特別フレームの構成（ＤｗＰＴＳ／ＧＰ／ＵｐＰＴＳの長さ）を表す。
【００６３】
【表１】
2020511092.tif 000003
【００６４】
図３は、本発明の実施例で利用可能な下りリンクスロットに対するリソースグリッド（ｒｅｓｏｕｒｃｅ ｇｒｉｄ）を例示する図である。
【００６５】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６６】
リソースグリッド上で各要素をリソース要素といい、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に従属する。上りリンクスロットの構造は下りリンクスロットの構造と同一であってよい。
【００６７】
図４には、本発明の実施例で利用可能な上りリンクサブフレームの構造を示す。
【００６８】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界（ｓｌｏｔ ｂｏｕｎｄａｒｙ）で周波数ホッピング（ｆｒｅｑｕｅｎｃｙ ｈｏｐｐｉｎｇ）する、という。
【００６９】
図５は、本発明の実施例で利用可能な下りリンクサブフレームの構造を示す図である。
【００７０】
図５を参照すると、サブフレームにおける一番目のスロットにおいてＯＦＤＭシンボルインデックス０から最大で３個までのＯＦＤＭシンボルが、制御チャネルが割り当てられる制御領域（ｃｏｎｔｒｏｌ ｒｅｇｉｏｎ）であり、残りのＯＦＤＭシンボルは、ＰＤＳＣＨが割り当てられるデータ領域（ｄａｔａ ｒｅｇｉｏｎ）である。３ＧＰＰ ＬＴＥで用いられる下りリンク制御チャネルの例に、ＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ）、ＰＤＣＣＨ、ＰＨＩＣＨ（Ｐｈｙｓｉｃａｌ Ｈｙｂｒｉｄ−ＡＲＱ  Ｉｎｄｉｃａｔｏｒ Ｃｈａｎｎｅｌ）などがある。
【００７１】
ＰＣＦＩＣＨはサブフレームの一番目のＯＦＤＭシンボルで送信され、サブフレームにおいて制御チャネルの送信のために用いられるＯＦＤＭシンボルの数（すなわち、制御領域のサイズ）に関する情報を搬送する。ＰＨＩＣＨは、上りリンクに対する応答チャネルであり、ＨＡＲＱ（Ｈｙｂｒｉｄ Ａｕｔｏｍａｔｉｃ Ｒｅｐｅａｔ Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を搬送する。ＰＤＣＣＨで送信される制御情報を下りリンク制御情報（ＤＣＩ：ｄｏｗｎｌｉｎｋ ｃｏｎｔｒｏｌ ｉｎｆｏｒｍａｔｉｏｎ）という。下りリンク制御情報は、上りリンクリソース割り当て情報、下りリンクリソース割り当て情報、又は任意の端末グループに対する上りリンク送信（Ｔｘ）電力制御命令を含む。
【００７２】
１．３．ＣＳＩフィードバック
【００７３】
３ＧＰＰ ＬＴＥ又はＬＴＥ−Ａシステムでは、ユーザ機器（ＵＥ）がチャネル状態情報（ＣＳＩ）を基地局（ＢＳ又はｅＮＢ）に報告するように定義されている。ここで、チャネル状態情報（ＣＳＩ）は、ＵＥとアンテナポートとの間に形成される無線チャネル（又は、リンク）の品質を示す情報を総称する。
【００７４】
例えば、チャネル状態情報（ＣＳＩ）は、ランク指示子（ｒａｎｋ ｉｎｄｉｃａｔｏｒ，ＲＩ）、プリコーディング行列指示子（ｐｒｅｃｏｄｉｎｇ ｍａｔｒｉｘ ｉｎｄｉｃａｔｏｒ，ＰＭＩ）、チャネル品質指示子（ｃｈａｎｎｅｌ ｑｕａｌｉｔｙ ｉｎｄｉｃａｔｏｒ，ＣＱＩ）などを含む。
【００７５】
ここで、ＲＩは当該チャネルのランク（ｒａｎｋ）情報を示し、これはＵＥが同一の時間−周波数リソースを介して受信するストリーム数を意味する。この値は、チャネルの長期フェーディング（Ｌｏｎｇ Ｔｅｒｍ Ｆａｄｉｎｇ）により従属されて決定される。次いで、 通常、ＲＩはＰＭＩ、ＣＱＩより長い周期でＵＥによってＢＳにフィードバックされる。
【００７６】
ＰＭＩはチャネル空間特性を反映した値であって、ＳＩＮＲなどのメトリック（ｍｅｔｒｉｃ）を基準としてＵＥが選好するプリコーディングインデックスを示す。
【００７７】
ＣＱＩはチャネルの強度を示す値であって、通常、ＢＳがＰＭＩを用いた時に得られる受信ＳＩＮＲを意味する。
【００７８】
３ＧＰＰ ＬＴＥ又はＬＴＥ−Ａシステムにおいて、基地局は複数のＣＳＩプロセスをＵＥに設定し、ＵＥから各プロセスに対するＣＳＩの報告を受ける。ここで、ＣＳＩプロセスは、基地局からの信号品質の特定のためのＣＳＩ−ＲＳと干渉測定のためのＣＳＩ干渉測定（ＣＳＩ−ｉｎｔｅｒｆｅｒｅｎｃｅ ｍｅａｓｕｒｅｍｅｎｔ，ＣＳＩ−ＩＭ）リソースで構成される。
【００７９】
１．４．ＲＲＭ測定
【００８０】
ＬＴＥシステムでは、電力制御（Ｐｏｗｅｒ ｃｏｎｔｒｏｌ）、スケジューリング（Ｓｃｈｅｄｕｌｉｎｇ）、セルサーチ（Ｃｅｌｌ ｓｅａｒｃｈ）、セル再選択（Ｃｅｌｌ ｒｅｓｅｌｅｃｔｉｏｎ）、ハンドオーバー（Ｈａｎｄｏｖｅｒ）、無線リンク又は接続モニタリング（Ｒａｄｉｏ ｌｉｎｋ ｏｒ Ｃｏｎｎｅｃｔｉｏｎ ｍｏｎｉｔｏｒｉｎｇ）、接続確立／再確立（Ｃｏｎｎｅｃｔｉｏｎ ｅｓｔａｂｌｉｓｈ／ｒｅ−ｅｓｔａｂｌｉｓｈ）などを含むＲＲＭ（Ｒａｄｉｏ Ｒｅｓｏｕｒｃｅ Ｍａｎａｇｅｍｅｎｔ）動作を支援する。この時、サービングセルは端末にＲＲＭ動作を行うための測定値であるＲＲＭ測定（ｍｅａｓｕｒｅｍｅｎｔ）情報を要求することができる。代表的な情報として、ＬＴＥシステムにおいて端末は各セルに対するセルサーチ（Ｃｅｌｌ ｓｅａｒｃｈ）情報、ＲＳＲＰ（ｒｅｆｅｒｅｎｃｅ ｓｉｇｎａｌ ｒｅｃｅｉｖｅｄ ｐｏｗｅｒ）、ＲＳＲＱ（ｒｅｆｅｒｅｎｃｅ ｓｉｇｎａｌ ｒｅｃｅｉｖｅｄ ｑｕａｌｉｔｙ）などの情報を測定して報告することができる。具体的には、ＬＴＥシステムにおいて端末はサービングセルからＲＲＭ測定のための上位層信号として「ｍｅａｓＣｏｎｆｉｇ」が伝達され、端末はこの「ｍｅａｓＣｏｎｆｉｇ」の情報に従ってＲＳＲＰ又はＲＳＲＱを測定する。
【００８１】
ここで、ＬＴＥシステムにおいて定義するＲＳＲＰ、ＲＳＲＱ、ＲＳＳＩは、以下のように定義される。
【００８２】
先ず、ＲＳＲＰは考慮される測定周波数帯域内のセル固有の参照信号を送信するリソース要素の電力分布（ｐｏｗｅｒ ｃｏｎｔｒｉｂｕｔｉｏｎ、［Ｗ］単位）の線形平均で定義される。（Ｒｅｆｅｒｅｎｃｅ ｓｉｇｎａｌ ｒｅｃｅｉｖｅｄ ｐｏｗｅｒ （ＲＳＲＰ）, ｉｓ ｄｅｆｉｎｅｄ ａｓ ｔｈｅ ｌｉｎｅａｒ ａｖｅｒａｇｅ  ｏｖｅｒ ｔｈｅ ｐｏｗｅｒ ｃｏｎｔｒｉｂｕｔｉｏｎｓ （ｉｎ [Ｗ]） ｏｆ ｔｈｅ ｒｅｓｏｕｒｃｅ ｅｌｅｍｅｎｔｓ ｔｈａｔ ｃａｒｒｙ ｃｅｌｌ−ｓｐｅｃｉｆｉｃ ｒｅｆｅｒｅｎｃｅ ｓｉｇｎａｌｓ ｗｉｔｈｉｎ ｔｈｅ ｃｏｎｓｉｄｅｒｅｄ ｍｅａｓｕｒｅｍｅｎｔ ｆｒｅｑｕｅｎｃｙ ｂａｎｄｗｉｄｔｈ．）一例として、ＲＳＲＰ決定のためにセル固有の参照信号Ｒ０が活用できる。（Ｆｏｒ ＲＳＲＰ ｄｅｔｅｒｍｉｎａｔｉｏｎ ｔｈｅ ｃｅｌｌ−ｓｐｅｃｉｆｉｃ ｒｅｆｅｒｅｎｃｅ ｓｉｇｎａｌｓ Ｒ０ ｓｈａｌｌ ｂｅ ｕｓｅｄ．）仮に、ＵＥがセル固有の参照信号Ｒ１が利用可能であると検出する場合、ＵＥはＲ１をさらに用いてＲＳＲＰを決定する。（Ｉｆ ｔｈｅ ＵＥ ｃａｎ ｒｅｌｉａｂｌｙ ｄｅｔｅｃｔ ｔｈａｔ Ｒ１ ｉｓ ａｖａｉｌａｂｌｅ ｉｔ ｍａｙ ｕｓｅ Ｒ１ ｉｎ ａｄｄｉｔｉｏｎ ｔｏ Ｒ０ ｔｏ ｄｅｔｅｒｍｉｎｅ ＲＳＲＰ．）
【００８３】
ＲＳＲＰのための参照ポイントは、ＵＥのアンテナコネクターとなり得る。（Ｔｈｅ ｒｅｆｅｒｅｎｃｅ ｐｏｉｎｔ ｆｏｒ ｔｈｅ ＲＳＲＰ ｓｈａｌｌ ｂｅ ｔｈｅ ａｎｔｅｎｎａ ｃｏｎｎｅｃｔｏｒ ｏｆ ｔｈｅ ＵＥ．）
【００８４】
仮に、ＵＥが受信器ダイバーシティを用いる場合、報告される値は個別のダイバーシティブランチに対応するＲＳＲＰより小さくてはならない。（Ｉｆ ｒｅｃｅｉｖｅｒ ｄｉｖｅｒｓｉｔｙ ｉｓ ｉｎ ｕｓｅ ｂｙ ｔｈｅ ＵＥ, ｔｈｅ ｒｅｐｏｒｔｅｄ ｖａｌｕｅ ｓｈａｌｌ ｎｏｔ ｂｅ ｌｏｗｅｒ ｔｈａｎ ｔｈｅ ｃｏｒｒｅｓｐｏｎｄｉｎｇ ＲＳＲＰ ｏｆ ａｎｙ ｏｆ ｔｈｅ ｉｎｄｉｖｉｄｕａｌ ｄｉｖｅｒｓｉｔｙ ｂｒａｎｃｈｅｓ．）
【００８５】
次いで、ＮがＥ−ＵＴＲＡ搬送波のＲＳＳＩ測定帯域幅のＲＢの数であるとき、ＲＳＲＱはＥ−ＵＴＲＡ搬送波のＲＳＳＩに対するＲＳＲＰの比率として、Ｎ＊ＲＳＲＰ／（Ｅ−ＵＴＲＡ ｃａｒｒｉｅｒ ＲＳＳＩ）と定義される。（Ｒｅｆｅｒｅｎｃｅ Ｓｉｇｎａｌ Ｒｅｃｅｉｖｅｄ Ｑｕａｌｉｔｙ （ＲＳＲＱ） ｉｓ ｄｅｆｉｎｅｄ ａｓ ｔｈｅ ｒａｔｉｏ Ｎ×ＲＳＲＰ／（Ｅ−ＵＴＲＡ ｃａｒｒｉｅｒ ＲＳＳＩ）, ｗｈｅｒｅ Ｎ ｉｓ ｔｈｅ ｎｕｍｂｅｒ ｏｆ ＲＢ’ｓ ｏｆ ｔｈｅ Ｅ−ＵＴＲＡ ｃａｒｒｉｅｒ ＲＳＳＩ  ｍｅａｓｕｒｅｍｅｎｔ ｂａｎｄｗｉｄｔｈ．）この測定値の分母及び分子は、リソースブロックの同一のセットによって決定される。（Ｔｈｅ ｍｅａｓｕｒｅｍｅｎｔｓ ｉｎ ｔｈｅ ｎｕｍｅｒａｔｏｒ ａｎｄ ｄｅｎｏｍｉｎａｔｏｒ ｓｈａｌｌ ｂｅ ｍａｄｅ ｏｖｅｒ ｔｈｅ ｓａｍｅ ｓｅｔ ｏｆ ｒｅｓｏｕｒｃｅ ｂｌｏｃｋｓ．）
【００８６】
Ｅ−ＵＴＲＡ搬送波のＲＳＳＩはコチャネル（ｃｏ−ｃｈａｎｎｅｌ）サービング及び非サービングセル、隣接チャネルの干渉、熱雑音などを含む全てのソースからの受信信号に対して、Ｎ個のリソースブロックにわたって、測定帯域幅でアンテナポート０に対する参照シンボルを含むＯＦＤＭシンボルのみで端末によって測定された受信全電力（［Ｗ］単位）の線形平均を含む。（Ｅ−ＵＴＲＡ Ｃａｒｒｉｅｒ Ｒｅｃｅｉｖｅｄ Ｓｉｇｎａｌ Ｓｔｒｅｎｇｔｈ Ｉｎｄｉｃａｔｏｒ （ＲＳＳＩ）, ｃｏｍｐｒｉｓｅｓ ｔｈｅ ｌｉｎｅａｒ ａｖｅｒａｇｅ ｏｆ ｔｈｅ ｔｏｔａｌ ｒｅｃｅｉｖｅｄ ｐｏｗｅｒ （ｉｎ [Ｗ]） ｏｂｓｅｒｖｅｄ ｏｎｌｙ ｉｎ ＯＦＤＭ ｓｙｍｂｏｌｓ ｃｏｎｔａｉｎｉｎｇ ｒｅｆｅｒｅｎｃｅ ｓｙｍｂｏｌｓ ｆｏｒ ａｎｔｅｎｎａ ｐｏｒｔ ０, ｉｎ ｔｈｅ ｍｅａｓｕｒｅｍｅｎｔ ｂａｎｄｗｉｄｔｈ, ｏｖｅｒ Ｎ ｎｕｍｂｅｒ ｏｆ ｒｅｓｏｕｒｃｅ ｂｌｏｃｋｓ ｂｙ ｔｈｅ ＵＥ ｆｒｏｍ ａｌｌ ｓｏｕｒｃｅｓ, ｉｎｃｌｕｄｉｎｇ ｃｏ−ｃｈａｎｎｅｌ ＳＥＲＶＩＮＧ ａｎｄ ｎｏｎ−ＳＥＲＶＩＮＧ ｃｅｌｌｓ, ａｄｊａｃｅｎｔ ｃｈａｎｎｅｌ ｉｎｔｅｒｆｅｒｅｎｃｅ, ｔｈｅｒｍａｌ ｎｏｉｓｅ ｅｔｃ．）仮に、上位層シグナリングがＲＳＲＱ測定のためにあるサブフレームを指示した場合、指示されたサブフレームにおける全てのＯＦＤＭシンボルに対してＲＳＳＩが測定される。（Ｉｆ ｈｉｇｈｅｒ−ｌａｙｅｒ ｓｉｇｎａｌｌｉｎｇ ｉｎｄｉｃａｔｅｓ ｃｅｒｔａｉｎ ｓｕｂｆｒａｍｅｓ ｆｏｒ ｐｅｒｆｏｒｍｉｎｇ ＲＳＲＱ ｍｅａｓｕｒｅｍｅｎｔｓ, ｔｈｅｎ ＲＳＳＩ ｉｓ ｍｅａｓｕｒｅｄ ｏｖｅｒ ａｌｌ ＯＦＤＭ ｓｙｍｂｏｌｓ ｉｎ ｔｈｅ ｉｎｄｉｃａｔｅｄ ｓｕｂｆｒａｍｅｓ．）
【００８７】
ＲＳＲＱのための参照ポイントは、ＵＥのアンテナコネクターになり得る。（Ｔｈｅ ｒｅｆｅｒｅｎｃｅ ｐｏｉｎｔ ｆｏｒ ｔｈｅ ＲＳＲＱ ｓｈａｌｌ ｂｅ ｔｈｅ ａｎｔｅｎｎａ ｃｏｎｎｅｃｔｏｒ ｏｆ ｔｈｅ ＵＥ．）
【００８８】
仮に、ＵＥが受信機ダイバーシティを用いる場合、報告される値は個別のダイバーシティブランチに対応するＲＳＲＱより小さくてはならない。（Ｉｆ ｒｅｃｅｉｖｅｒ ｄｉｖｅｒｓｉｔｙ ｉｓ ｉｎ ｕｓｅ ｂｙ ｔｈｅ ＵＥ, ｔｈｅ ｒｅｐｏｒｔｅｄ ｖａｌｕｅ ｓｈａｌｌ ｎｏｔ ｂｅ ｌｏｗｅｒ ｔｈａｎ ｔｈｅ ｃｏｒｒｅｓｐｏｎｄｉｎｇ ＲＳＲＱ ｏｆ ａｎｙ ｏｆ ｔｈｅ ｉｎｄｉｖｉｄｕａｌ ｄｉｖｅｒｓｉｔｙ ｂｒａｎｃｈｅｓ．）
【００８９】
次いで、ＲＳＳＩは受信器パルス状のフィルターによって定義された帯域幅内の熱雑音及び受信器から生成された雑音を含む受信された広帯域電力で定義される。（Ｒｅｃｅｉｖｅｄ Ｓｉｇｎａｌ Ｓｔｒｅｎｇｔｈ Ｉｎｄｉｃａｔｏｒ （ＲＳＳＩ） ｉｓ ｄｅｆｉｎｅｄ ａｓ ｔｈｅ ｒｅｃｅｉｖｅｄ ｗｉｄｅ ｂａｎｄ ｐｏｗｅｒ, ｉｎｃｌｕｄｉｎｇ ｔｈｅｒｍａｌ ｎｏｉｓｅ ａｎｄ ｎｏｉｓｅ ｇｅｎｅｒａｔｅｄ ｉｎ ｔｈｅ ｒｅｃｅｉｖｅｒ, ｗｉｔｈｉｎ ｔｈｅ ｂａｎｄｗｉｄｔｈ ｄｅｆｉｎｅｄ ｂｙ ｔｈｅ ｒｅｃｅｉｖｅｒ ｐｕｌｓｅ ｓｈａｐｉｎｇ ｆｉｌｔｅｒ．）
【００９０】
測定のための参照ポイントは、ＵＥのアンテナコネクターになり得る。（Ｔｈｅ ｒｅｆｅｒｅｎｃｅ ｐｏｉｎｔ ｆｏｒ ｔｈｅ ｍｅａｓｕｒｅｍｅｎｔ ｓｈａｌｌ ｂｅ ｔｈｅ ａｎｔｅｎｎａ ｃｏｎｎｅｃｔｏｒ ｏｆ ｔｈｅ ＵＥ．）
【００９１】
仮に、ＵＥが受信器ダイバーシティを用いる場合、報告される値は個別のダイバーシティブランチに対応するＵＴＲＡ搬送波ＲＳＳＩより小さくてはならない。（Ｉｆ ｒｅｃｅｉｖｅｒ ｄｉｖｅｒｓｉｔｙ ｉｓ ｉｎ ｕｓｅ ｂｙ ｔｈｅ ＵＥ, ｔｈｅ ｒｅｐｏｒｔｅｄ ｖａｌｕｅ ｓｈａｌｌ ｎｏｔ ｂｅ ｌｏｗｅｒ ｔｈａｎ ｔｈｅ ｃｏｒｒｅｓｐｏｎｄｉｎｇ ＵＴＲＡ ｃａｒｒｉｅｒ ＲＳＳＩ ｏｆ ａｎｙ ｏｆ ｔｈｅ ｉｎｄｉｖｉｄｕａｌ ｒｅｃｅｉｖｅ ａｎｔｅｎｎａ ｂｒａｎｃｈｅｓ．）
【００９２】
上記の定義に従って、ＬＴＥシステムにおいて動作する端末は、周波数間の測定（Ｉｎｔｒａ−ｆｒｅｑｕｅｎｃｙ ｍｅａｓｕｒｅｍｅｎｔ）の場合、ＳＩＢ３（ｓｙｓｔｅｍ ｉｎｆｏｒｍａｔｉｏｎ ｂｌｏｃｋ ｔｙｐｅ ３）から送信される許容された測定帯域幅（Ａｌｌｏｗｅｄ ｍｅａｓｕｒｅｍｅｎｔ ｂａｎｄｗｉｄｔｈ）関連のＩＥ（ｉｎｆｏｒｍａｔｉｏｎ ｅｌｅｍｅｎｔ）を介して指示される帯域幅でＲＳＲＰを測定することができる。また、周波数内の測定（Ｉｎｔｅｒ−ｆｒｅｑｕｅｎｃｙ ｍｅａｓｕｒｅｍｅｎｔ）である場合、端末はＳＩＢ５から送信される許容された測定帯域幅を介して指示された６、１５、２５、５０、７５、１００ＲＢ（ｒｅｓｏｕｒｃｅ ｂｌｏｃｋ）のうち１つに対応する帯域幅でＲＳＲＰを測定することができる。また、上述したようなＩＥがない場合、端末はデフォルト動作としてＤＬ（ｄｏｗｎｌｉｎｋ）システム全体の周波数帯域でＲＳＲＰを測定することができる。
【００９３】
この時、端末が許容された測定帯域幅に対する情報を受信する場合、端末は当該値を最大の測定帯域幅（ｍａｘｉｍｕｍ ｍｅａｓｕｒｅｍｅｎｔ ｂａｎｄｗｉｄｔｈ）として当該値においてＲＳＲＰの値を自由に測定することができる。但し、サービングセルがＷＢ−ＲＳＲＱと定義されるＩＥを端末に送信して、許容された測定帯域幅を５０ＲＢ以上に設定する場合、端末は許容された測定帯域幅に対するＲＳＲＰ値を全て算出する必要がある。一方、端末はＲＳＳＩを測定するとき、ＲＳＳＩ帯域幅の定義に従って端末の受信機が有する周波数帯域を用いてＲＳＳＩを測定する。
【００９４】
２．新しい無線アクセス技術（Ｎｅｗ Ｒａｄｉｏ Ａｃｃｅｓｓ Ｔｅｃｈｎｏｌｏｇｙ）システム
【００９５】
多数の通信機器がより大きな通信容量を要求することにより、既存の無線アクセス技術（ｒａｄｉｏ ａｃｃｅｓｓ ｔｅｃｈｎｏｌｏｇｙ、ＲＡＴ）に比べて向上したモバイルブロードバンド（Ｍｏｂｉｌｅ Ｂｒｏａｄｂａｎｄ）通信の必要性が高まっている。また多数の機器及び物を接続していつでもどこでも多様なサービスを提供する大規模（ｍａｓｓｉｖｅ）ＭＴＣ（Ｍａｃｈｉｎｅ Ｔｙｐｅ Ｃｏｍｍｕｎｉｃａｔｉｏｎｓ）も必要となっている。さらに信頼性及び遅延などに敏感なサービス／ＵＥを考慮した通信システムのデザインが提示されている。
【００９６】
このように向上したモバイルブロードバンド通信（Ｅｎｈａｎｃｅｄ ｍｏｂｉｌｅ ｂｒｏａｄｂａｎｄ ｃｏｍｍｕｎｉｃａｔｉｏｎ）、大規模ＭＴＣ、ＵＲＬＬＣ（Ｕｌｔｒａ−Ｒｅｌｉａｌｂｅ ａｎｄ Ｌｏｗ Ｌａｔｅｎｃｙ Ｃｏｍｍｕｎｉｃａｔｉｏｎ）などを考慮した新しい無線アクセス技術であって、新しい無線アクセス技術システムが提案されている。以下、本発明では便宜上、該当技術をＮｅｗ ＲＡＴ又はＮＲ（Ｎｅｗ Ｒａｄｉｏ）と称する。
【００９７】
２．１．ニューマロロジー（Ｎｕｍｅｒｉｏｌｏｇｉｅｓ）
【００９８】
本発明が適用可能なＮＲシステムにおいては、以下の表のような様々なＯＦＤＭニューマロロジーが支援されている。この時、搬送波帯域幅部分（ｃａｒｒｉｅｒ ｂａｎｄｗｉｄｔｈ ｐａｒｔ）ごとのμ及びサイクリックプレフィックス（ｃｙｃｌｉｃ ｐｒｅｆｉｘ）情報は、下りリンク（ＤＬ）又は上りリンク（ＵＬ）ごとに各々シグナリングされる。一例として、下りリンク搬送波帯域幅部分（ｄｏｗｎｌｉｎｋ ｃａｒｒｉｅｒ ｂａｎｄｗｉｄｔｈ ｐａｒｔ）のためのμ及びサイクリックプレフィックス（ｃｙｃｌｉｃ ｐｒｅｆｉｘ）情報は、上位層シグナリングＤＬ−ＢＷＰ−ｍｕ及びＤＬ−ＭＷＰ−ｃｐを通じてシグナリングされる。他の例として、上りリンク搬送波帯域幅部分（ｕｐｌｉｎｋ ｃａｒｒｉｅｒ ｂａｎｄｗｉｄｔｈ ｐａｒｔ）のためのμ及びサイクリックプレフィックス（ｃｙｃｌｉｃ ｐｒｅｆｉｘ）情報は、上位層シグナリングＵＬ−ＢＷＰ−ｍｕ及びＵＬ−ＭＷＰ−ｃｐを通じてシグナリングされる。
【００９９】
【表２】
2020511092.tif 000004
【０１００】
２．２．フレーム構造
【０１０１】
下りリンク及び上りリンクの伝送は１０ｍｓの長さのフレームで構成される。フレームは１ｍｓの長さの１０個のサブフレームで構成される。この時、各々のサブフレームごとに連続するＯＦＤＭのシンボルの数は
2020511092.tif 000005
である。
【０１０２】
各々のフレームは２つの同じサイズのハーフフレーム（ｈａｌｆ−ｆｒａｍｅ）で構成される。この時、各々のハーフフレームはサブフレーム０−４及びサブフレーム５−９で構成される。
【０１０３】
副搬送波間隔（ｓｕｂｃａｒｒｉｅｒ ｓｐａｃｉｎｇ）μに対して、スロットは１つのサブフレーム内において昇順に
2020511092.tif 000006
のようにナンバリングされ、１つのフレーム内において昇順に
2020511092.tif 000007
のようにナンバリングされる。この時、１つのスロット内に連続するＯＦＤＭのシンボルの数
2020511092.tif 000008
は、サイクリックプレフィックスによって以下の表のように決定される。１つのサブフレーム内の開始スロット
2020511092.tif 000009
は、同じサブフレーム内の開始ＯＦＤＭのシンボル
2020511092.tif 000010
と時間の次元で整列されている（ａｌｉｇｎｅｄ）。以下の表３は一般サイクリックプレフィックス（ｎｏｒｍａｌ ｃｙｃｌｉｃ ｐｒｅｆｉｘ）のためのスロットごと／フレームごと／サブフレームごとのＯＦＤＭのシンボルの数を示し、表４は拡張されたサイクリックプレフィックス（ｅｘｔｅｎｄｅｄ ｃｙｃｌｉｃ ｐｒｅｆｉｘ）のためのスロットごと／フレームごと／サブフレームごとのＯＦＤＭのシンボルの数を示す。
【０１０４】
【表３】
2020511092.tif 000011
【０１０５】
【表４】
2020511092.tif 000012
【０１０６】
本発明が適用可能なＮＲシステムにおいては、上記のようなスロット構造であって、セルフスロット構造（Ｓｅｌｆ−Ｃｏｎｔａｉｎｅｄ ｓｕｂｆｒａｍｅ ｓｔｒｕｃｔｕｒｅ）が適用されている。
【０１０７】
図６は本発明に適用可能なセルフサブフレーム構造（Ｓｅｌｆ−Ｃｏｎｔａｉｎｅｄ ｓｕｂｆｒａｍｅ ｓｔｒｕｃｔｕｒｅ）を示す図である。
【０１０８】
図６において、斜線領域（例えば、ｓｙｍｂｏｌ ｉｎｄｅｘ＝０）は下りリンク制御（ｄｏｗｎｌｉｎｋ ｃｏｎｔｒｏｌ）領域を示し、黒色領域（例えば、ｓｙｍｂｏｌ ｉｎｄｅｘ＝１３）は上りリンク制御（ｕｐｌｉｎｋ ｃｏｎｔｒｏｌ）領域を示す。その他の領域（例えば、ｓｙｍｂｏｌ ｉｎｄｅｘ＝１〜１２）は下りリンクデータ伝送又は上りリンクデータ伝送のために使用される。
【０１０９】
このような構造により基地局及びＵＥは１つのスロット内でＤＬ伝送とＵＬ伝送を順次に行うことができ、１つのスロット内でＤＬデータを送受信し、これに対するＵＬ ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【０１１０】
このようなセルフスロット構造においては、基地局とＵＥが送信モードから受信モードに、又は受信モードから送信モードに転換するために一定の時間の長さのタイムギャップ（ｔｉｍｅ  ｇａｐ）が必要である。このために、セルフスロット構造においてＤＬからＵＬに転換される時点の一部のＯＦＤＭシンボルは、ガード区間（ｇｕａｒｄ ｐｅｒｉｏｄ、ＧＰ）として設定されることができる。
【０１１１】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１１２】
一例として、スロットは様々なスロットフォーマットを有することができる。この時、各々のスロットのＯＦＤＭシンボルは、下りリンク（‘Ｄ’と表す）、フレキシブル（‘Ｘ’と表す）及び上りリンク（‘Ｕ’と表す）に分類される。
【０１１３】
従って、下りリンクスロットにおいてＵＥは下りリンク伝送が‘Ｄ’及び‘Ｘ’シンボルでのみ発生すると仮定できる。同様に、上りリンクスロットにおいてＵＥは上りリンク伝送が‘Ｕ'及び‘Ｘ’シンボルでのみ発生すると仮定できる。
【０１１４】
２．３．アナログビームフォーミング（Ａｎａｌｏｇ Ｂｅａｍｆｏｒｍｉｎｇ）
【０１１５】
ミリ波（Ｍｉｌｌｉｍｅｔｅｒ Ｗａｖｅ、ｍｍＷ）では波長が短いので、同一面積に多数のアンテナ要素（ｅｌｅｍｅｎｔ）の設置が可能である。即ち、３０ＧＨｚ帯域において波長は１ｃｍであるので、５＊５ｃｍのパネルに０．５ｌａｍｂｄａ（波長）間隔で２次元（２−ｄｉｍｅｎｓｉｏｎ）配列する場合、合計１００個のアンテナ要素を設けることができる。これにより、ミリ波（ｍｍＷ）では多数のアンテナ要素を使用してビームフォーミング（ｂｅａｍｆｏｒｍｉｎｇ、ＢＦ）利得を上げてカバレッジを増加させるか、或いはスループット（ｔｈｒｏｕｇｈｐｕｔ）を向上させることができる。
【０１１６】
この時、アンテナ要素ごとに伝送パワー及び位相の調節ができるように、各々のアンテナ要素はＴＸＲＵ（ｔｒａｎｓｃｅｉｖｅｒ）を含む。これにより、各々のアンテナ要素は周波数リソースごとに独立したビームフォーミングを行うことができる。
【０１１７】
しかし、１００個余りの全てのアンテナ要素にＴＸＲＵを設けることは費用面で実効性が乏しい。従って、１つのＴＸＲＵに多数のアンテナ要素をマッピングし、アナログ位相シフター（ａｎａｌｏｇ ｐｈａｓｅ ｓｈｉｆｔｅｒ）でビーム方向を調節する方式が考えられている。かかるアナログビームフォーミング方式では全帯域において１つのビーム方向のみを形成できるので、周波数を選択したビームフォーミングが難しいという短所がある。
【０１１８】
これを解決するために、デジタルビームフォーミング及びアナログビームフォーミングの中間形態として、Ｑ個のアンテナ要素より少ない数のＢ個のＴＸＲＵを有するハイブリッドビームフォーミング（ｈｙｂｒｉｄ ＢＦ）が考えられる。この場合、Ｂ個のＴＸＲＵとＱ個のアンテナ要素の接続方式によって差はあるが、同時に伝送可能なビームの方向はＢ個以下に制限される。
【０１１９】
図７及び図８は、ＴＸＲＵとアンテナ要素（ｅｌｅｍｅｎｔ）の代表的な接続方式を示す図である。ここで、ＴＸＲＵ仮想化（ｖｉｒｔｕａｌｉｚａｔｉｏｎ）モデルは、ＴＸＲＵの出力信号とアンテナ要素の出力信号との関係を示す。
【０１２０】
図７はＴＸＲＵがサブアレイ（ｓｕｂ−ａｒｒａｙ）に接続された方式を示している。図７の場合、アンテナ要素は１つのＴＸＲＵのみに接続される。
【０１２１】
反面、図８はＴＸＲＵが全てのアンテナ要素に接続された方式を示している。図８の場合、アンテナ要素は全てのＴＸＲＵに接続される。この時、アンテナ要素が全てのＴＸＲＵに接続されるためには、図８に示したように、別の加算器が必要である。
【０１２２】
図７及び図８において、Ｗはアナログ位相シフター（ａｎａｌｏｇ ｐｈａｓｅ ｓｈｉｆｔｅｒ）により乗じられる位相ベクトルを示す。即ち、Ｗはアナログビームフォーミングの方向を決定する主要パラメータである。ここで、ＣＳＩ−ＲＳアンテナポートと複数のＴＸＲＵとのマッピングは１：１又は１：多である。
【０１２３】
図７の構成によれば、ビームフォーミングのフォーカシングが難しいという短所があるが、全てのアンテナ構成を安価に構成できるという長所がある。
【０１２４】
図８の構成によれば、ビームフォーミングのフォーカシングが容易であるという長所がある。但し、全てのアンテナ要素にＴＸＲＵが接続されるので、全体の費用が増加するという短所がある。
【０１２５】
本発明が適用可能なＮＲシステムにおいて、複数のアンテナが使用される場合、デジタルビームフォーミング（Ｄｉｇｉｔａｌ ｂｅａｍｆｏｒｍｉｎｇ）及びアナログビームフォーミングを結合したハイブリッドビームフォーミング（ｈｙｂｒｉｄ ｂｅａｍｆｏｒｍｉｎｇ）方式が適用される。この時、アナログビームフォーミング（又はＲＦ（ｒａｄｉｏ ｆｒｅｑｕｅｎｃｙ）ビームフォーミング）は、ＲＦ端でプリコーディング（又は組み合わせ（ｃｏｍｂｉｎｉｎｇ））を行う動作を意味する。またハイブリッドビームフォーミングにおいて、ベースバンド（ｂａｓｅｂａｎｄ）端とＲＦ端は各々プリコーティング（又は組み合わせ）を行う。これによりＲＦチェーンの数とＤ／Ａ（Ｄｉｇｉｔａｌ ｔｏ ａｎａｌｏｇ）（又はＡ／Ｄ（ａｎａｌｏｇ ｔｏ ｄｉｇｉｔａｌ））コンバーターの数を減らしながらデジタルビームフォーミングに近接する性能を得られるという長所がある。
【０１２６】
説明の便宜上、ハイブリッドビームフォーミングの構造は、Ｎ個の送受信端（ｔｒａｎｓｃｅｉｖｅｒ ｕｎｉｔ、ＴＸＲＵ）とＭ個の物理的アンテナで表すことができる。この時、送信端から伝送するＬ個のデータ層（ｄｉｇｉｔａｌ ｌａｙｅｒ）に対するデジタルビームフォーミングは、Ｎ＊Ｌ（Ｌ ｂｙ Ｌ）行列で表される。その後、変換されたＮ個のデジタル信号はＴＸＲＵを介してアナログ信号に変換され、変換された信号に対してＭ＊Ｎ（Ｍ ｂｙ Ｎ）行列で表されるアナログビームフォーミングが適用される。
【０１２７】
図９は、本発明の一例によるＴＸＲＵ及び物理的アンテナの観点におけるハイブリッドビームフォーミングの構造を簡単に示す図である。この時、図９においてデジタルビームの数はＬ個であり、アナログビームの数はＮ個である。
【０１２８】
さらに、本発明が適用可能なＮＲシステムにおいては、基地局がアナログビームフォーミングをシンボル単位で変更できるように設計して、所定の地域に位置した端末に効率的なビームフォーミングを支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビームフォーミングが適用可能な複数のアンテナパネルを導入する案も考えられる。
【０１２９】
以上のように基地局が複数のアナログビームを活用する場合、端末ごとに信号の受信に有利なアナログビームが異なる。よって本発明が適用可能なＮＲシステムにおいては、基地局が所定のサブフレーム（ＳＦ）内でシンボルごとに異なるアナログビームを適用して（少なくとも同期信号、システム情報、ページング（ｐａｇｉｎｇ）など）信号を伝送することにより、全ての端末が受信機会を得るようにするビームスイーピング（ｂｅａｍ ｓｗｅｅｐｉｎｇ）動作が考えられている。
【０１３０】
図１０は本発明の一例による下りリンク（Ｄｏｗｎｌｉｎｋ、ＤＬ）伝送過程において、同期信号（Ｓｙｎｃｈｒｏｎｉｚａｔｉｏｎ ｓｉｇｎａｌ）とシステム情報（Ｓｙｓｔｅｍ ｉｎｆｏｒｍａｔｉｏｎ）に対するビームスイーピング（Ｂｅａｍ ｓｗｅｅｐｉｎｇ）動作を簡単に示す図である。
【０１３１】
図１０において、本発明が適用可能なＮＲシステムのシステム情報がブロードキャスティング（Ｂｒｏａｄｃａｓｔｉｎｇ）方式で伝送される物理的リソース（又は物理チャネル）を、ｘＰＢＣＨ（ｐｈｙｓｉｃａｌ ｂｒｏａｄｃａｓｔ ｃｈａｎｎｅｌ）と称する。この時、１つのシンボル内で互いに異なるアンテナパネルに属する複数のアナログビームは同時に伝送可能である。
【０１３２】
また図１０に示したように、本発明が適用可能なＮＲシステムにおいて、アナログビームごとのチャネルを測定するための構成であって、（所定のアンテナパネルに対応する）単一のアナログビームが適用されて伝送される参照信号（Ｒｅｆｅｒｅｎｃｅ ｓｉｇｎａｌ、ＲＳ）であるビーム参照信号（Ｂｅａｍ ＲＳ、ＢＲＳ）の導入が論議されている。ＢＲＳは複数のアンテナポートに対して定義され、ＢＲＳの各々のアンテナポートは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１３３】
３．提案する実施例
【０１３４】
本発明が適用可能なＬＴＥ又はＮＲなどの無線通信システムにおいて、基地局は複数のＵＥが送信するＵＬ信号の受信タイミングを一致させるために、ＴＡ（ｔｉｍｉｎｇ ａｄｖａｎｃｅ）値を設定することによりＵＥの送信時点を制御する。
【０１３５】
図１１は基地局（ｅＮＢ又はｇＮＢ）とＵＥの間の下りリンク信号及び上りリンク信号の送受信時点を簡単に示す図である。
【０１３６】
図１１に示したように、ＵＥはｅＮＢ（又はｇＮＢ）がｔ１時点に送信したＤＬ信号を伝播遅延（ｐｒｏｐａｇａｔｉｏｎ ｄｅｌａｙ）（＝ｔ２−ｔ１）によりｔ２時点に受信することができる。また、ｅＮＢ（又はｇＮＢ）はＵＥがｔ３時点に送信したＵＬ信号を伝播遅延（＝ｔ４−ｔ３）によりｔ４時点に受信することができる。
【０１３７】
ｅＮＢ（又はｇＮＢ）は複数のＵＥからのＵＬ信号をｔ４時点に受信するために、ＵＥごとの伝播遅延値によって異なるＴＡ値を各ＵＥにシグナリングする。具体的には、ｅＮＢ（又はｇＮＢ）は各ＵＥごとの伝播遅延の２倍に該当するＴＡ値を各ＵＥにシグナリングする。各ＵＥごとに対応するシグナリングを受信したＵＥは、ｔ２時点までＤＬ信号を受信した後、ｔ２＋（ｔ４−ｔ１）−ＴＡの時点にＵＬ信号の送信を開始する。
【０１３８】
図１２は同じコンポーネントキャリア（ｃｏｍｐｏｎｅｎｔ ｃａｒｒｉｅｒ）で下りリンク信号及び上りリンク信号が送受信される構成（又は領域）を簡単に示す図である。
【０１３９】
図１２に示したように、本発明が適用可能なＬＴＥ又はＮＲなどの無線通信システムにおいて、ＤＬ信号及びＵＬ信号は同じコンポーネントキャリアで送受信される。さらに、本発明で提案する構成は、クロスキャリアスケジューリング（ｃｒｏｓｓ−ｃａｒｒｉｅｒ ｓｃｈｅｄｕｌｉｎｇ）又はＦＤＤ（Ｆｒｅｑｕｅｎｃｙ Ｄｉｖｉｓｉｏｎ Ｄｕｐｌｅｘ）のような両面スペクトル（ｐａｉｒｅｄ ｓｐｅｃｔｒｕｍ）にも拡張適用できる。また、構成は、互いに異なる又は同一のニューマロロジーを有するＢＷＰ（Ｂａｎｄｗｉｄｔｈ Ｐａｒｔ）の間のスケジューリングのケースにも拡張適用できる。
【０１４０】
具体的には、図１２（ａ）に示したように、１スロット内にＤＬ信号領域とＵＬ信号領域が存在し、２つの領域の間に下りリンクから上りリンクへのスイッチング（以下、説明の便宜上、‘ＤＬ−ｔｏ−ＵＬスイッチング’という）のためのＧＰ（ｇｕａｒｄ ｐｅｒｉｏｄ）が設定される。又は図１２（ｂ）に示したように、ｓｌｏｔ＃ｎ内にＤＬ信号領域が存在し、ｓｌｏｔ＃ｎ＋１内にＵＬ信号領域が存在し、２つの領域の間にＧＰが設定される。この時、図１２（ｂ）にはＧＰがｓｌｏｔ＃ｎ内に位置すると示されているが、ＧＰはｓｌｏｔ＃ｎではないｓｌｏｔ＃ｎ＋１に位置するか、又はｓｌｏｔ＃ｎ及びｓｌｏｔ＃ｎ＋１にわたって位置することもできる。
【０１４１】
本発明において、スロットとは、ＮＲシステムのスロット又はＬＴＥシステムのサブフレームに対応する。
【０１４２】
図１２（ａ）において、１つのスロット内のＸシンボル（Ｘは自然数）の間にＤＬ信号（例：ＤＬ制御信号及び／又はＤＬデータ）を受信したＵＥに対して、ＧＰ以後のＵＬ信号（例：ＵＬ制御信号及び／又はＵＬデータ及び／又はＵＬ参照信号）の送信がスケジュールされることができる。この時、ＵＥに設定されたＴＡ値（又はＴＡ値とＤＬ−ｔｏ−ＵＬスイッチング時間の和）がＧＰ値（＝ＴＢ−Ｔａ）より大きい場合は、ＤＬ信号の受信後のＴＡ（又はＴＡとＤＬ−ｔｏ−ＵＬスイッチング時間の和）を適用した後のＵＬ信号送信の開始時点が予めスケジュールされたＵＬ信号の開始時点を経過するので、ＵＥは該当のＵＬ送信を行えないという問題がある。
【０１４３】
また、ＴＡ（又はＴＡとＤＬ−ｔｏ−ＵＬスイッチング時間の和）はＧＰより小さいが、ＧＰ直前のＤＬ制御信号からＵＬ信号がスケジュールされることができる。この場合、ＵＥがＵＬ信号の送信を開始できる時点は、上述したＴＡ値だけではなく、ＵＥのＤＬ制御信号のデコーディング及びＵＬ信号送信の準備時間などのＵＥ処理時間の予想（ＵＥ ｐｒｏｃｅｓｓｉｎｇ ｔｉｍｅ ｂｕｄｇｅｔ）が共に考慮されて決定される。これにより、ＧＰがＴＡ＋ＵＥ処理時間（ＤＬ−ｔｏ−ＵＬスイッチング時間を含む）より大きい場合、ＵＥはＵＬ信号送信をスケジュールされた時点から行うことができない。
【０１４４】
本発明において、ＧＰは、ネットワークの観点のフレーム構造下で設定された区間であるか、又はＵＥの観点で（ネットワークの観点のフレーム構造とは関係なく）ＤＬ制御信号以後のＵＬ信号の送信の間のギャップと一般化された区間である。即ち、本発明で言及された‘ＧＰ’とは、特定のＤＬ領域と特定のＵＬ領域の間の領域を意味し、該領域は単に１つのガード区間（ｇｕａｒｄ ｐｅｒｉｏｄ）で構成されるか、又は１つ以上のＤＬ領域及び／又はＵＬ領域が含まれた領域で構成されることができる。
【０１４５】
さらに、特定の搬送波上に特定のＵＬ信号受信のために設定された最大ＴＡよりＵＥが設定したＴＡの値が大きい場合は、上述した例示のように、ＵＥはスケジュールされたＵＬ信号の送信をスケジュールされた時点から行うことができない。かかる問題は、ＵＥがｅＮＢ（又はｇＮＢ）から送信されたＴＡコマンドの受信に成功せず、ｅＮＢ（又はｇＮＢ）とＵＥの間のＴＡ値のミスマッチにより発生することができる。
【０１４６】
かかる状況で、もしＵＥがＵＬ信号の送信自体を放棄すると、ｅＮＢ（又はｇＮＢ）は、（ＵＥがＵＬ信号を送信しない理由が）ＵＬグラントを受信できなかったためであるか（ＵＬ ｇｒａｎｔ ｍｉｓｓｉｎｇ）、又はＴＡ値の不一致のためであるかを把握することができない。また、チャネルの使用／休止（ｂｕｓｙ／ｉｄｌｅ）の有無によって接続有無を決定する非免許帯域の動作を考慮する時、ｅＮＢ（又はｇＮＢ）は（ＵＥが非免許帯域によりＵＬ信号を送信しない理由が）ＧＰの間にチャネルが休止状態であるので、ＵＥがＵＬ信号の送信を行わなかったためであるか、ＵＥがＵＬグラントを受信できなかったためであるか、又はＴＡ値の不一致のためであるかを把握することができない。
【０１４７】
よって、本発明では、上記のようなＴＡが不一致の状況でのＵＥのＤＬ信号受信及び／又はＵＬ信号の送信方法、適用可能なＤＬ／ＵＬの間の優先順位規則などについてより詳しく説明する。
【０１４８】
また、上述したように、以下において、ＧＰとは、ＵＬグラントが受信されたＤＬ領域とＵＬグラントによりスケジュールされたＵＬ領域の間の時間ギャップを意味し、‘ＤＬ−ｔｏ−ＵＬスイッチング時間’とは、特定のＵＥがＵＬグラントを受信して、ＵＬグラントがスケジュールしたＵＬ信号の送信のために必要とする最小時間を意味する。即ち、以下において、‘ＤＬ−ｔｏ−ＵＬスイッチング時間’は‘ＵＥ処理時間’と同じ意味である。
【０１４９】
また、以下において、‘ＴＡ不一致’とは、ｅＮＢ（又はｇＮＢ）が指示したＴＡ値に基づいて、ＵＥに必要な最小時間の長さがＵＬグラントの受信時点からＵＬグラントがスケジュールするＵＬ信号の送信時点の間の長さより小さい場合を意味する。また、‘ＴＡ不一致’とは、ＵＥがスケジュールされたＵＬ信号の送信のために必要とする時間（例：ＵＥのＴＡ、ＴＡとＵＥ処理時間（例：ＤＬ−ｔｏ−ＵＬスイッチング）の和、及びＴＡとＵＥ処理時間のうちの最大値）がＵＬグラントの受信時点からＵＬグラントがスケジュールするＵＬ信号の送信時点の間の長さより小さい場合を意味することができる。
【０１５０】
３．１．ＴＡ不一致の状況においてＤＬ受信及び／又はＵＬ送信方法
【０１５１】
本発明では、ｅＮＢ（又はｇＮＢ）とＵＥの間のＴＡ不一致の問題によりＵＥがスケジュールされたＵＬ信号を最小Ｙシンボルの間に送信できない場合を仮定する。一例として、図１２（ａ）において、ＵＥがＴａ時点までＤＬ信号を受信し、ＴＡ（又はＴＡとＤＬ−ｔｏ−ＵＬスイッチングの和、及びＴＡとＤＬ−ｔｏ−ＵＬスイッチングのうちの最大値）を適用してＴｂ時点からＵＬ信号を送信するようにスケジュールされた場合、ＴＡ値（又はＴＡとＤＬ−ｔｏ−ＵＬスイッチング時間の和、及びＴＡとＤＬ−ｔｏ−ＵＬスイッチングのうちの最大値）とＧＰ（＝Ｔｂ−Ｔａ）の差がＹシンボル間隔より大きく、Ｙ＋１シンボル間隔より小さい場合を仮定する。
【０１５２】
３．１．１．第１ＵＥ動作方法
【０１５３】
ｅＮＢ（又はｇＮＢ）とＵＥの間のＴＡ不一致の問題によってＵＥがスケジュールされたＵＬ信号を最小Ｙシンボルの間に送信できない場合、ＵＥはスケジュールされたＵＬ信号全体の送信を放棄することができる。
【０１５４】
３．１．２．第２ＵＥ動作方法
【０１５５】
ｅＮＢ（又はｇＮＢ）とＵＥの間のＴＡ不一致の問題によってＵＥがスケジュールされたＵＬ信号を最小Ｙシンボルの間に送信できない場合、ＵＥはスケジュールされたＵＬ信号のうち、Ｙシンボルを除いた残りのＵＬ信号を送信するように設定できる。この時、ＵＥは残りのＵＬ信号の送信のために、Ｙシンボルに対してパンクチャリング（又はレートマッチング）を行うことができる。
【０１５６】
３．１．３．第３ＵＥ動作方法
【０１５７】
ｅＮＢ（又はｇＮＢ）とＵＥの間のＴＡ不一致の問題によってＵＥがスケジュールされたＵＬ信号を最小Ｙシンボルの間に送信できない場合、ＵＥはＤＬ信号のうち、最後のＹシンボルを除いた残りのＤＬ信号のみを受信するように設定できる。
【０１５８】
３．１．４．第４ＵＥ動作方法
【０１５９】
ｅＮＢ（又はｇＮＢ）とＵＥの間のＴＡ不一致の問題によってＵＥがスケジュールされたＵＬ信号を最小Ｙシンボルの間に送信できない場合、ＵＥはＤＬ信号のうち、最後のＺ（ここで、Ｚ＜Ｙ）シンボルを除いた残りのＤＬ信号のみを受信し、スケジュールされたＵＬ信号のうち、（Ｙ−Ｚ）シンボルを除いた残りのＵＬ信号を送信するように設定できる。この時、ＵＥは残りのＵＬ信号の送信のために、Ｙシンボルに対してパンクチャリング（又はレートマッチング）を行うことができる。
【０１６０】
特に、上述した第２乃至第４ＵＥ動作によってＵＥがＵＬ信号の送信を行う場合、該当ＵＬ信号の送信時点は、ＵＥが現時点に有するＴＡ値が適用されて決定されるか、ＧＰ間隔（又はｍａｘ ＴＡ）だけのＴＡ値が適用されて決定されるか、以前に設定されたＧＰ（又はｍａｘ ＴＡ）より小さい最大のＴＡ値が適用されて決定されるか、以前に設定されたＴＡ値のうち、ＧＰ（又はｍａｘ ＴＡ）より小さい最新のＴＡ値が適用されて決定されるか、又は所定の上位層シグナリング（例：ＲＲＣシグナリング）或いは第１層シグナリング（Ｌ１シグナリング、例：ＤＣＩ）により設定されたＴＡ値が適用されて決定される。
【０１６１】
３．２．優先順位規則（Ｐｒｉｏｒｉｔｙ ｒｕｌｅ）
【０１６２】
ＴＡ不一致の状況において適用可能なＵＥの動作方法としては、上述した３．１．で提案した様々な方法のうち、ＤＬ信号及びＵＬ信号の重要度によって互いに異なる方法が適用される。このために、少なくとも以下のような事項が考えられる。
【０１６３】
−ＤＬ信号の最後のＹ又はＺシンボルの間にＤＬ制御領域が含まれたか否か（又はＤＬ制御信号が送信されたか否か）
【０１６４】
−ＤＬ信号の最後のＹ又はＺシンボルの間にＲＳ（ｒｅｆｅｒｅｎｃｅ ｓｉｇｎａｌ、例：ＤＭ−ＲＳ（Ｄｅｍｏｄｕｌａｔｉｏｎ Ｒｅｆｅｒｅｎｃｅ Ｓｉｇｎａｌ）、ＣＳＩ−ＲＳ（Ｃｈａｎｎｅｌ Ｓｔａｔｅ Ｉｎｆｏｒｍａｔｉｏｎ Ｒｅｆｅｒｅｎｃｅ Ｓｉｇｎａｌ）など）及び／又はＳＳ（Ｓｙｎｃｈｒｏｎｉｚａｔｉｏｎ ｓｉｇｎａｌ、例：ＰＳＳ（Ｐｒｉｍａｒｙ Ｓｙｎｃｈｒｏｎｉｚａｔｉｏｎ Ｓｉｇｎａｌ）、ＳＳＳ（Ｓｅｃｏｎｄａｒｙ Ｓｙｎｃｈｒｏｎｉｚａｔｉｏｎ Ｓｉｇｎａｌ）など）が含まれたか否か
【０１６５】
−ＤＬ信号の最後のＹ又はＺシンボルの間のＤＬデータ部分がＤＬデータ全体に対して占める比率
【０１６６】
−ＵＬ信号の最初のＹ又は（Ｙ−Ｚ）シンボルの間にＵＬ制御領域が含まれたか否か（又はＵＬ制御信号が送信されたか否か）又はＵＣＩ（Ｕｐｌｉｎｋ Ｃｏｎｔｒｏｌ Ｉｎｆｏｒｍａｔｉｏｎ、例：ＨＡＲＱ−ＡＣＫ、ＣＳＩ（ｃｈａｎｎｅｌ ｓｔａｔｅ ｉｎｆｏｒｍａｔｉｏｎ）、ＲＩ（ｒａｎｋ ｉｎｄｉｃａｔｏｒ）、ビーム関連情報など）が含まれたか否か、又はどのＵＣＩ情報を含むか
【０１６７】
−ＵＬ信号の最初のＹ又は（Ｙ−Ｚ）シンボルの間にＲＳ（例：ＤＭ−ＲＳ、ＳＲＳ（Ｓｏｕｎｄｉｎｇ Ｒｅｆｅｒｅｎｃｅ Ｓｉｇｎａｌ）など）が含まれたか否か
【０１６８】
−ＵＬ信号の最初のＹ又は（Ｙ−Ｚ）シンボルの間のＵＬデータ部分がＵＬデータ全体に対して占める比率
【０１６９】
以下、上述した様々な事項のうちのいずれか１つを考慮して、ＵＥの動作に適用可能な優先順位規則（ｐｒｉｏｒｉｔｙ ｒｕｌｅ）について詳しく説明する。
【０１７０】
３．２．１．第１優先順位規則
【０１７１】
制御チャネル（又はＤＣＩ／ＵＣＩ情報が含まれたＤＬ／ＵＬデータチャネル）はデータチャネルより優先される。即ち、上述した様々なＵＥの動作方法において、ＵＥはデータチャネルに対する送受信より制御チャネルに対する送受信を優先して行う。
【０１７２】
一例として、ＤＬ信号の最後のＹシンボルがＤＬ制御チャネルで構成され、ＵＬ信号の最初のＹシンボルがＵＬデータチャネルで構成される場合、ＵＥは上述した第１ＵＥ動作方法又は第２ＵＥ動作方法のように、ＵＬ信号全体の送信を放棄するか、又はＵＬ信号のうちの最初のＹシンボルの送信のみを放棄し、残りのＵＬ信号の送信を行うことができる。
【０１７３】
３．２．２．第２優先順位規則
【０１７４】
ＲＳはデータチャネルより優先される。即ち、上述した様々なＵＥの動作方法において、ＵＥはデータチャネルに対する送受信よりＲＳに対する送受信を優先して行う。
【０１７５】
一例として、ＤＬ信号の最後のＹシンボルがＤＬデータチャネルで構成され、ＵＬ信号の最初のＹシンボル内にＵＬ ＲＳが含まれる場合、ＵＥは上述した第３ＵＥ動作方法のように、ＤＬデータチャネルのうちのＹシンボルの間にＤＬデータチャネル信号を受信しないことができる。又はＵＬ信号の最初のＹシンボルのうちのＮ番目のシンボルにＵＬ ＲＳが含まれる場合、ＵＥは上述した第４ＵＥ動作方法のように、ＤＬ信号のうち、最後のＹ−Ｎ＋１シンボルを除いた残りのＤＬ信号のみを受信し、スケジュールされたＵＬ信号のうち、Ｎ−１シンボルを除いた残りのＵＬ信号を送信するように設定できる。
【０１７６】
３．２．３．第３優先順位規則
【０１７７】
制御チャネル（又はＤＣＩ／ＵＣＩ情報が含まれたＤＬ／ＵＬデータチャネル）はＲＳより優先される。即ち、上述した様々なＵＥの動作方法において、ＵＥはＲＳに対する送受信より制御チャネルに対する送受信を優先して行う。
【０１７８】
一例として、ＤＬ信号の最後のＹシンボルがＤＬ制御チャネルで構成され、ＵＬ信号の最初のＹシンボル内にＵＬ ＲＳが含まれる場合、ＵＥは上述した第１又は第２ＵＥ動作方法のように、ＵＬ信号全体の送信を放棄するか、又はＵＬ信号のうちの最初のＹシンボルの送信のみを放棄し、残りのＵＬ信号を送信することができる。この時、Ｙシンボルを含むＵＬチャネル内にＵＬ ＲＳがあり、ＵＥにより送信放棄されるＹシンボル内にＵＬ ＲＳ以外の更なるＵＬ ＲＳがない場合、ＵＥは上述した第１ＵＥ動作方法のように、該当ＵＬチャネル全体の送信を放棄するように設定できる。送信放棄されるＹシンボル内のＵＬ ＲＳ以外に更なるＵＬ ＲＳが存在するか否かによるＵＥのＵＬ信号の送信方法は、上述した第３ＵＥ動作方法に限られず、一般的な状況にも拡張適用できる。
【０１７９】
またＲＳは制御チャネル（又はＤＣＩ／ＵＣＩ情報が含まれたＤＬ／ＵＬデータチャネル）より優先されることができる。即ち、上述した様々なＵＥの動作方法において、ＵＥは制御チャネルに対する送受信よりＲＳに対する送受信を優先して行うことができる。
【０１８０】
一例として、ＤＬ信号の最後のＹシンボルがＤＬ制御チャネルで構成され、ＵＬ信号の最初のＹシンボル内にＵＬ ＲＳが含まれる場合、ＵＥは上述した第３ＵＥ動作方法のように、ＤＬ制御チャネルのうち、Ｙシンボルの間にＤＬ制御チャネルを受信しないことができる。
【０１８１】
又は制御チャネルのタイプ又は含まれる（又は制御チャネルを介して送信される）情報の種類によって、制御チャネル及びＲＳについて互いに異なる優先順位が適用されることができる。一例として、ＵＬ制御チャネル（又はＵＣＩ情報が含まれたＵＬデータチャネル）にＨＡＲＱ−ＡＣＫが含まれて送信される場合、制御チャネルはＲＳより優先される。反面、ＵＬ制御チャネル（又はＵＣＩ情報が含まれたＵＬデータチャネル）にＨＡＲＱ−ＡＣＫ無しにＣＳＩのみが含まれて送信される場合は、ＲＳが制御チャネルより優先されることができる。
【０１８２】
３．２．４．第４優先順位規則
【０１８３】
ＤＬ信号の最後のＹシンボルがＤＬ制御チャネル（又はＤＣＩ情報が含まれたＤＬデータチャネル）で構成され、ＵＬ信号の最初のＹシンボルがＵＬ制御チャネル（又はＵＣＩ情報が含まれたＵＬデータチャネル）で構成される場合、ＤＬ制御チャネル（又はＵＬ制御チャネル）は他のチャネル又はＲＳより優先される。即ち、上述した様々なＵＥの動作方法において、ＵＥはＤＬ制御チャネル（又はＵＬ制御チャネル）に対する送受信を他のチャネル又はＲＳに対する送信より優先して行うことができる。
【０１８４】
特徴的には、制御チャネルのタイプ又は制御チャネルに含まれる情報の種類によって、制御チャネルについては互いに異なる優先順位が適用されることができる。一例として、ＵＬ制御チャネル（又はＵＣＩ情報が含まれたＵＬデータチャネル）にＨＡＲＱ−ＡＣＫが含まれて送信される場合、ＵＬ制御チャネルはＤＬ制御チャネルより優先される。他の例として、ＵＬ制御チャネル（又はＵＣＩ情報が含まれたＵＬデータチャネル）にＨＡＲＱ−ＡＣＫ無しにＣＳＩのみが含まれて送信される場合には、ＤＬ制御チャネルはＵＬ制御チャネルより優先される。
【０１８５】
３．２．５．第５優先順位規則
【０１８６】
制御チャネル（又はＤＣＩ／ＵＣＩ情報が含まれたＤＬ／ＵＬデータチャネル）はＲＳより優先される。即ち、上述した様々なＵＥの動作方法のうち、ＵＥはＲＳに対する送受信より制御チャネルに対する送受信を優先して行う。
【０１８７】
ＤＬ信号の最後のＹシンボルがＤＬデータチャネルで構成され、ＵＬ信号の最初のＹシンボルがＵＬデータチャネルで構成される場合、２つの信号（ＤＬ信号及びＵＬ信号）のうち、データ領域全体に比べてＹシンボルの比重が大きい（又は小さい）信号が他の信号に比べて優先される。即ち、上述した様々なＵＥの動作方法において、ＵＥは上述した条件を満足するか否かによってＤＬ信号又はＵＬ信号に対する送受信を優先して行うことができる。
【０１８８】
一例として、ＤＬデータチャネルのうち、Ｙシンボルの比重が５０％であり、ＵＬデータチャネルのうち、Ｙシンボルの比重が７０％である場合、ＵＥはＵＬデータチャネルの送信を優先して、上述した第３ＵＥ動作方法のように、ＤＬデータのうち、最後のＹシンボルを除いた残りのＤＬデータのみを受信するように設定できる。
【０１８９】
３．３．シグナリング方法
【０１９０】
上述した３．１で提案した方法のように、ＵＥが一部のＤＬ及び／又はＵＬ信号の送受信を行わない場合、ＵＥはこれに関する情報をｅＮＢ（又はｇＮＢ）に知らせることができる。これにより、ＵＥは今後ｅＮＢ（又はｇＮＢ）とのＴＡ不一致による問題が再び発生しないようにする。
【０１９１】
従って、ここでは、ＵＥが一部のＤＬ及び／又はＵＬ信号の送受信を行わないことをｅＮＢ（又はｇＮＢ）にシグナリングする具体的な方法について上述する。
【０１９２】
３．３．１．第１シグナリング方法
【０１９３】
上述した第１、第２、第４ＵＥ動作方法のように、ＵＥがＵＬ信号の一部又は全体の送信を放棄（ｄｒｏｐ）する場合、ＵＥは該当スロットの特定のＲＳ（例：ＤＭ−ＲＳ、ＳＲＳなど）により、ＵＬ信号送信の放棄の有無を知らせることができる。
【０１９４】
一例として、ＵＬ信号の送信が放棄されたスロットでＳＲＳ送信がスケジュールされた場合、ＵＥはスケジュールされたＳＲＳと同じ又は異なるリソース（予め定義された時間及び／又は周波数リソース）を活用するか、又は同じ又は異なるシーケンス（予め定義されたシーケンス）を送信することにより、ＵＬ信号送信の放棄の有無をシグナリングすることができる。
【０１９５】
又は、ＵＥは送信が放棄されたＵＬ信号のうち、Ｙシンボルを除いた残りの領域のうちの特定の領域にＤＭ−ＲＳ（又はＳＲＳ）を送信することにより、ＵＬ信号送信の放棄の有無をシグナリングすることができる。
【０１９６】
一例として、ＵＬデータチャネルのうち、Ｙ＋Ｋ番目のシンボルに送信するＤＭ−ＲＳが存在する場合、ＵＥは該当ＵＬデータチャネルの全体の送信を放棄し、Ｙ＋Ｋ番目のシンボルでＤＭ−ＲＳのみを送信することにより、ＵＬデータチャネルがＴＡ不一致により送信放棄されたことを知らせることができる。この時、具体的なＤＭ−ＲＳシーケンス情報（又は使用リソース時間及び／又は周波数領域情報）は、予め定義されるか、上位層シグナリング（例：ＲＲＣシグナリング）又はＬ１シグナリング（例：ＤＣＩ）により設定される。
【０１９７】
又は、非免許帯域での動作を考慮する時、Ｙ＋Ｋ番目シンボルの送信直前のチャネルが休止状態であると判断された場合（一例として、一定時間の間（例：２５ｕｓｅｃ）にチャネルが休止状態であると判断された場合）に限って、ＵＥのＤＭ−ＲＳ送信が許容される。
【０１９８】
３．３．２．第２シグナリング方法
【０１９９】
上述した不一致ハンドリング（ｍｉｓｍａｔｃｈ ｈａｎｄｌｉｎｇ）のために、ｅＮＢ（又はｇＮＢ）は周期的な（又はＵＥ−ｄｅｄｉｃａｔｅｄ）信号／チャネルを予め設定して該当設定情報をＵＥに知らせることができる。その後、ＴＡ不一致による問題が発生した場合、ＵＥは予め設定されたリソースのうち、最も近いリソースを活用してＴＡ不一致及びそれによるＵＥの動作方法をｅＮＢ（又はｇＮＢ）に知らせる。
【０２００】
一例として、ｅＮＢ（又はｇＮＢ）は、ＴＡ不一致のハンドリングのために、ＳＲＳ及び／又はＤＭ−ＲＳ及び／又はＵＬ制御リソース及び／又はＰＲＡＣＨを予め設定する。この時、ｓｌｏｔ＃ｎ時点にＴＡ不一致による問題が発生し、ｓｌｏｔ＃ｎ＋２時点に予め設定されたリソースのうち、最も近いリソースがある場合、ＵＥは該当リソースによりＴＡ不一致（又は上述した第１乃至第４ＵＥ動作方法のうち、どの方法が行われたか）を知らせることができる。
【０２０１】
３．３．３．第３シグナリング方法
【０２０２】
ＴＡ不一致の有無を知らせる情報（又は第１乃至第４ＵＥ動作方法のうち、どの方法が行われたか、或いはＴＡ値又はＴＡとＧＰ値（又はｍａｘ ＴＡ）の差）は、ＵＣＩのうちの一部の情報で構成される。
【０２０３】
一例として、ＵＥは搬送波ごとにＵＣＩ当たり１ビットの情報を用いてＵＬ制御チャネル又はＵＬデータチャネルにピギーバック（ｐｉｇｇｙｂａｃｋ）されて送信されるＵＣＩによりＴＡ不一致の有無を知らせるように設定できる。この時、１ビットの情報は、従来の無線通信システムで定義されたビットの情報ではない、新しく追加される構成であるか、又は従来の無線通信システムで定義されたビットの情報のうちの１つのビットの情報である。
【０２０４】
３．３．４．第４シグナリング方法
【０２０５】
ＴＡ不一致の有無を知らせる情報（又は第１乃至第４ＵＥ動作方法のうち、どの方法が行われたか、又はＴＡ値或いはＴＡとＧＰ値（又はｍａｘ ＴＡ）の差）は、ＭＡＣ（Ｍｅｄｉｕｍ Ａｃｃｅｓｓ ｃｏｎｔｒｏｌ） ＣＥ（ｃｏｎｔｒｏｌ ｅｌｅｍｅｎｔ）により構成される。
【０２０６】
一例として、ＴＡ不一致の問題が発生する場合、ＵＥは該当問題が発生したか（又は上述した第１乃至第４ＵＥ動作方法のうち、どの方法が行われたか、又はＴＡ値自体或いはＴＡとＧＰ（又はｍａｘ ＴＡ）値の差）に関する情報をＭＡＣヘッダーと共にＭＡＣ ＣＥで構成してＵＬデータと共に送信する。
【０２０７】
上述した第１乃至第４シグナリング方法によりＵＥがＵＬ信号の送信を行う場合、該当ＵＬ信号の送信時点は、ＵＥが現時点に有しているＴＡ値が適用されて決定されるか、ＧＰ（又はｍａｘ ＴＡ）間隔だけのＴＡ値が適用されて決定されるか、以前に設定されたＧＰ（又はｍａｘ ＴＡ）より小さい最大のＴＡ値が適用されて決定されるか、以前に設定されたＴＡ値のうち、ＧＰ（又はｍａｘ ＴＡ）より小さい最新のＴＡ値が適用されて決定されるか、又は予め定義されたか或いは上位層シグナリング又はＬ１シグナリングにより設定されたＴＡ値が適用されて決定される。
【０２０８】
上述した様々なシグナリング方法による信号を受信したｅＮＢ（又はｇＮＢ）は、ＵＥに再度ＴＡコマンドを送信してＴＡ不一致の問題を解決する。
【０２０９】
図１３は本発明に適用可能な端末と基地局の間の信号送受信方法を示す図である。
【０２１０】
まず、端末１は基地局から上りリンク信号送信をスケジュールする下りリンク制御情報（Ｄｏｗｎｌｉｎｋ ｃｏｎｔｒｏｌ Ｉｎｆｏｒｍａｔｉｏｎ；ＤＣＩ）を受信する（Ｓ１３１０）。
【０２１１】
次いで、端末１は、第１時間区間の長さ（ＤＣＩを受信した時点とＤＣＩによりスケジュールされる上りリンク信号の送信時点の間の長さ）と、第２時間区間の長さ（端末に設定されたＴＡ（Ｔｉｍｉｎｇ Ａｄｖａｎｃｅ）及びＤＣＩに対する端末の処理時間（ｐｒｏｃｅｓｓｉｎｇ ｔｉｍｅ）に基づいて決定された時間の長さ）とを比較する（Ｓ１３２０）。
【０２１２】
その後、端末１は、段階Ｓ１３２０における比較結果による動作を行う（Ｓ１３３０）。ここで、各状況又は条件ごとの端末１の具体的な動作は以下の通りである。
【０２１３】
まず、第１時間区間の長さが第２時間区間の長さ以上である場合、端末はＤＣＩによりスケジュールされた上りリンク信号の送信時点に上りリンク信号送信を行う。
【０２１４】
即ち、端末１は基地局１００により設定された時点からスケジュールされた上りリンク信号の送信を行う。
【０２１５】
他の例として、第１時間区間の長さが第２時間区間の長さ未満である場合は、端末はＤＣＩによりスケジュールされた上りリンク信号の送信を行わない。
【０２１６】
この時、端末は上りリンク信号が送信されないことを指示するために、上りリンク信号がスケジュールされた時間区間で参照信号（ｒｅｆｅｒｅｎｃｅ ｓｉｇｎａｌ）を送信する。ここで、参照信号としては、復調参照信号（Ｄｅｍｏｄｕｌａｔｉｏｎ Ｒｅｆｅｒｅｎｃｅ Ｓｉｇｎａｌ；ＤＭ−ＲＳ）又はサウンディング参照信号（Ｓｏｕｎｄｉｎｇ Ｒｅｆｅｒｅｎｃｅ Ｓｉｇｎａｌ；ＳＲＳ）などが適用される。
【０２１７】
さらに他の例として、第１時間区間の長さが第２時間区間の長さ未満である場合、端末はＤＣＩによりスケジュールされた上りリンク信号のうち、ＤＣＩを受信した時点から第２時間区間後にスケジュールされた第１上りリンク信号のみを送信することができる。
【０２１８】
この時、ＤＣＩによりスケジュールされた上りリンク信号のうち、ＤＣＩを受信した時点から第２時間区間前にスケジュールされた第２上りリンク信号については、パンクチャリング又はレートマッチングが行われる。
【０２１９】
さらに他の例として、第１時間区間の長さが第２時間区間の長さ未満である場合、端末は第１時間区間の長さが第２時間区間の長さ未満であることを指示する情報を基地局に送信することができる。
【０２２０】
以上、第２時間区間の長さは、ＵＥのＴＡ、ＴＡとＵＥ処理時間（例：ＤＬ−ｔｏ−ＵＬスイッチング）の和、及びＴＡとＵＥ処理時間のうちの最大値のうちのいずれか１つに設定される。
【０２２１】
上述した提案方式に対する一例も本発明の具現化方法の１つとして含まれてもよく、一種の提案方式と見なし得ることは明白な事実である。また、上述した提案方式は独立して具現化されてもよく、一部の提案方式の組合せ（又は、併合）の形態で具現化されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０２２２】
４．装置構成
【０２２３】
図１４は提案する実施例を具現化できる端末及び基地局の構成を示す図である。図１４に示した端末及び基地局は、上述した端末及び基地局の間の信号送受信方法の実施例を具現化するように動作する。
【０２２４】
端末（ＵＥ：Ｕｓｅｒ Ｅｑｕｉｐｍｅｎｔ）１は、上りリンクでは送信端として動作し、下りリンクでは受信端として動作することができる。また、基地局（ｅＮＢ：ｅ−Ｎｏｄｅ Ｂ）１００は、上りリンクでは受信端として動作し、下りリンクでは送信端として動作することができる。
【０２２５】
即ち、端末及び基地局は、情報、データ及び／又はメッセージの送信及び受信を制御するためにそれぞれ、送信器（Ｔｒａｎｓｍｉｔｔｅｒ）１０，１１０及び受信器（Ｒｅｃｅｉｖｅｒ）２０，１２０を含むことができ、情報、データ及び／又はメッセージを送受信するためのアンテナ３０，１３０などを含むことができる。
【０２２６】
また、端末及び基地局はそれぞれ、上述した本発明の実施例を行うためのプロセッサ（Ｐｒｏｃｅｓｓｏｒ）４０，１４０、及びプロセッサの処理過程を臨時的に又は持続的に記憶できるメモリ５０，１５０を含むことができる。
【０２２７】
このように構成された端末１は、受信器２０を通じて、基地局１００から上りリンク信号送信をスケジュールする下りリンク制御情報（Ｄｏｗｎｌｉｎｋ Ｃｏｎｔｒｏｌ Ｉｎｆｏｒｍａｔｉｏｎ；ＤＣＩ）を受信する。その後、端末１は、送信器１０及びプロセッサ４０を通じて、ＤＣＩを受信した時点とＤＣＩによりスケジュールされる上りリンク信号の送信時点の間の第１時間区間の長さと、端末に設定されたＴＡ（Ｔｉｍｉｎｇ Ａｄｖａｎｃｅ）及びＤＣＩに対する端末の処理時間（ｐｒｏｃｅｓｓｉｎｇ ｔｉｍｅ）に基づいて決定された第２時間区間の長さとの比較結果に基づいて、スケジュールされた上りリンク信号送信を行う。
【０２２８】
端末及び基地局に含まれた送信器及び受信器は、データ送信のためのパケット変復調機能、高速パケットチャネルコーディング機能、直交周波数分割多元接続（ＯＦＤＭＡ：Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ）パケットスケジューリング、時分割デュプレックス（ＴＤＤ：Ｔｉｍｅ Ｄｉｖｉｓｉｏｎ Ｄｕｐｌｅｘ）パケットスケジューリング及び／又はチャネル多重化機能を有することができる。また、図１４の端末及び基地局は、低電力ＲＦ（Ｒａｄｉｏ Ｆｒｅｑｕｅｎｃｙ）／ＩＦ（Ｉｎｔｅｒｍｅｄｉａｔｅ Ｆｒｅｑｕｅｎｃｙ）ユニットをさらに含むことができる。
【０２２９】
一方、本発明において端末として、個人携帯端末機（ＰＤＡ：Ｐｅｒｓｏｎａｌ Ｄｉｇｉｔａｌ Ａｓｓｉｓｔａｎｔ）、セルラーフォン、個人通信サービス（ＰＣＳ：Ｐｅｒｓｏｎａｌ Ｃｏｍｍｕｎｉｃａｔｉｏｎ Ｓｅｒｖｉｃｅ）フォン、ＧＳＭ（Ｇｌｏｂａｌ Ｓｙｓｔｅｍ ｆｏｒ Ｍｏｂｉｌｅ）フォン、ＷＣＤＭＡ（Ｗｉｄｅｂａｎｄ ＣＤＭＡ）フォン、ＭＢＳ（Ｍｏｂｉｌｅ Ｂｒｏａｄｂａｎｄ Ｓｙｓｔｅｍ）フォン、ハンドヘルドＰＣ（Ｈａｎｄ−Ｈｅｌｄ ＰＣ）、ノートＰＣ、スマート（Ｓｍａｒｔ）フォン、又はマルチモードマルチバンド（ＭＭ−ＭＢ：Ｍｕｌｔｉ Ｍｏｄｅ−Ｍｕｌｔｉ Ｂａｎｄ）端末機などを用いることができる。
【０２３０】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム（例えば、ＣＤＭＡ（Ｃｏｄｅ Ｄｉｖｉｓｉｏｎ Ｍｕｌｔｉｐｌｅ Ａｃｃｅｓｓ）２０００システム、ＷＣＤＭＡ（Ｗｉｄｅｂａｎｄ ＣＤＭＡ）システムなど）のいずれにおいても作動し得る端末機のことを指す。
【０２３１】
本発明の実施例は、様々な手段によって具現化することができる。例えば、本発明の実施例は、ハードウェア、ファームウェア（ｆｉｒｍｗａｒｅ）、ソフトウェア、又はそれらの結合などによって具現化することができる。
【０２３２】
ハードウェアによる具現化の場合、本発明の実施例による方法は、１つ又はそれ以上のＡＳＩＣ（ａｐｐｌｉｃａｔｉｏｎ ｓｐｅｃｉｆｉｃ ｉｎｔｅｇｒａｔｅｄ ｃｉｒｃｕｉｔ）、ＤＳＰ（ｄｉｇｉｔａｌ ｓｉｇｎａｌ ｐｒｏｃｅｓｓｏｒ）、ＤＳＰＤ（ｄｉｇｉｔａｌ ｓｉｇｎａｌ ｐｒｏｃｅｓｓｉｎｇ ｄｅｖｉｃｅ）、ＰＬＤ（ｐｒｏｇｒａｍｍａｂｌｅ ｌｏｇｉｃ ｄｅｖｉｃｅ）、ＦＰＧＡ（ｆｉｅｌｄ ｐｒｏｇｒａｍｍａｂｌｅ ｇａｔｅ ａｒｒａｙ）、プロセッサ、コントローラ、マイクロコントローラ、マイクロプロセッサなどによって具現化することができる。
【０２３３】
ファームウェアやソフトウェアによる具現化の場合、本発明の実施例による方法は、以上で説明した機能又は動作を行うモジュール、手順又は関数などの形態として具現化することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０２３４】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０２３５】
本発明の実施例は、様々な無線アクセスシステムに適用することができる。様々な無線アクセスシステムの一例として３ＧＰＰ（３ｒｄ Ｇｅｎｅｒａｔｉｏｎ Ｐａｒｔｎｅｒｓｈｉｐ Ｐｒｏｊｅｃｔ）又は３ＧＰＰ２システムなどがある。本発明の実施例は、上記様々な無線アクセスシステムの他、上記様々な無線アクセスシステムを応用した全ての技術分野にも適用することができる。さらに、提案した方法は、超高周波帯域を利用するｍｍＷａｖｅ通信システムにも適用することができる。
【図１】
2020511092.tif 000013
【図２】
2020511092.tif 000014
【図３】
2020511092.tif 000015
【図４】
2020511092.tif 000016
【図５】
2020511092.tif 000017
【図６】
2020511092.tif 000018
【図７】
2020511092.tif 000019
【図８】
2020511092.tif 000020
【図９】
2020511092.tif 000021
【図１０】
2020511092.tif 000022
【図１１】
2020511092.tif 000023
【図１２】
2020511092.tif 000024
【図１３】
2020511092.tif 000025
【図１４】
2020511092.tif 000026
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
ＵＥ（User Equipment）が無線通信システムで動作する方法であって、
上りリンク信号の送信をスケジュールするＤＣＩ（Downlink Control Information）をＢＳ（Base Station）から受信するステップと、
（ｉ）前記ＵＥに対して設定されたＴＡ（Timing Advance）と、（ｉｉ）前記ＵＥの処理時間とに基づいて、前記ＤＣＩによってスケジュールされた前記上りリンク信号の前記送信を行う、又は、前記ＤＣＩによってスケジュールされた前記上りリンク信号の前記送信を放棄するステップと、を含む、方法。
【請求項２】
（ｉ）前記ＵＥに対して設定された前記ＴＡと、（ｉｉ）前記ＵＥの前記処理時間とに基づいて、
前記ＵＥが前記ＤＣＩによってスケジュールされた前記上りリンク信号の全体を送信する能力を有する場合、前記ＵＥは、前記ＤＣＩによってスケジュールされた前記上りリンク信号の前記送信を行い、
前記ＵＥが前記ＤＣＩによってスケジュールされた前記上りリンク信号の全体を送信する能力を有さない場合、前記ＵＥは、前記ＤＣＩによってスケジュールされた前記上りリンク信号の前記送信を放棄する、請求項１に記載の方法。
【請求項３】
（ｉ）前記ＵＥに対して設定されたＴＡと前記ＵＥの処理時間とに基づいて、前記ＤＣＩを受信した後に決定される第１の上りリンク信号送信開始時点と、（ｉｉ）前記ＤＣＩによってスケジュールされる第２の上りリンク信号送信開始時点とに基づいて、
前記第１の上りリンク信号送信開始時点が前記第２の上りリンク信号送信開始時点より早くない場合、前記ＵＥは、前記ＤＣＩによってスケジュールされた前記上りリンク信号の前記送信を行い、
前記第１の上りリンク信号送信開始時点が前記第２の上りリンク信号送信開始時点より早い場合、前記ＵＥは、前記ＤＣＩによってスケジュールされた前記上りリンク信号の前記送信を放棄する、請求項１に記載の方法。
【請求項４】
前記第１の上りリンク信号送信開始時点が前記第２の上りリンク信号送信開始時点より早い場合、前記上りリンク信号が送信されないことを示すために、前記上りリンク信号がスケジュールされた時間区間に参照信号を送信するステップをさらに含む、請求項３に記載の方法。
【請求項５】
前記参照信号は、ＤＭ−ＲＳ（Demodulation Reference Signal）又はＳＲＳ（Sounding Reference Signal）に該当する、請求項４に記載の方法。
【請求項６】
前記第１の上りリンク信号送信開始時点が前記第２の上りリンク信号送信開始時点より早い場合、前記第１の上りリンク信号送信開始時点が前記第２の上りリンク信号送信開始時点より早いことを通知する情報を、前記ＢＳに送信するステップをさらに含む、請求項３に記載の方法。
【請求項７】
無線通信システムで動作するＵＥ（User Equipment）であって、
送信器と、
受信器と、
プロセッサと、を含み、
前記プロセッサは、
上りリンク信号の送信をスケジュールするＤＣＩ（Downlink Control Information）をＢＳ（Base Station）から受信し、
（ｉ）前記ＵＥに対して設定されたＴＡ（Timing Advance）と、（ｉｉ）前記ＵＥの処理時間とに基づいて、スケジュールされた前記上りリンク信号の前記送信を行うように設定される、ＵＥ。
【請求項８】
（ｉ）前記ＵＥに対して設定された前記ＴＡと、（ｉｉ）前記ＵＥの前記処理時間とに基づいて、
前記ＵＥが前記ＤＣＩによってスケジュールされた前記上りリンク信号の全体を送信する能力を有する場合、前記ＵＥは、前記ＤＣＩによってスケジュールされた前記上りリンク信号の前記送信を行い、
前記ＵＥが前記ＤＣＩによってスケジュールされた前記上りリンク信号の全体を送信する能力を有さない場合、前記ＵＥは、前記ＤＣＩによってスケジュールされた前記上りリンク信号の前記送信を放棄する、請求項７に記載のＵＥ。
【請求項９】
（ｉ）前記ＵＥに対して設定されたＴＡと前記ＵＥの処理時間とに基づいて、前記ＤＣＩを受信した後に決定される第１の上りリンク信号送信開始時点と、（ｉｉ）前記ＤＣＩによってスケジュールされる第２の上りリンク信号送信開始時点とに基づいて、
前記第１の上りリンク信号送信開始時点が前記第２の上りリンク信号送信開始時点より早くない場合、前記ＵＥは、前記ＤＣＩによってスケジュールされた前記上りリンク信号の前記送信を行い、
前記第１の上りリンク信号送信開始時点が前記第２の上りリンク信号送信開始時点より早い場合、前記ＵＥは、前記ＤＣＩによってスケジュールされた前記上りリンク信号の前記送信を放棄する、請求項７に記載のＵＥ。
【請求項１０】
前記プロセッサは、前記第１の上りリンク信号送信開始時点が前記第２の上りリンク信号送信開始時点より早い場合、前記上りリンク信号が送信されないことを示すために、前記上りリンク信号がスケジュールされた時間区間に参照信号を送信するように設定される、請求項９に記載のＵＥ。
【請求項１１】
前記参照信号は、ＤＭ−ＲＳ（Demodulation Reference Signal）又はＳＲＳ（Sounding Reference Signal）に該当する、請求項１０に記載のＵＥ。
【請求項１２】
前記プロセッサは、前記第１の上りリンク信号送信開始時点が前記第２の上りリンク信号送信開始時点より早い場合、前記第１の上りリンク信号送信開始時点が前記第２の上りリンク信号送信開始時点より早いことを通知する情報を、前記ＢＳに送信するように設定される、請求項９に記載のＵＥ。
【国際調査報告】
2020511092.tif 000027
2020511092.tif 000028
2020511092.tif 000029
2020511092.tif 000030